(57)【要約】  説明する技法は、共有スペクトル内で1つまたは複数のネットワークオペレーティングエンティティ間でワイヤレス通信を協調させるためのリソースの区分を実現する。リソースの区分は、各ネットワークオペレーティングエンティティに対する特定のタイプの通信をより大きな時間フレーム内の特定の時間間隔に割り当てるステップを含み得る。たとえば、ネットワークオペレーティングエンティティに、専用通信のための時間間隔、他のネットワークオペレーティングエンティティに対する優先通信のための時間間隔、および日和見的通信のための時間間隔を割り当てることができる。
2019531030.tif 000002
【特許請求の範囲】
【請求項１】
ワイヤレス通信のための方法であって、
複数のネットワークオペレーティングエンティティによって共有される共有無線周波数スペクトル帯域内のフレームを識別するステップと、
ネットワークオペレーティングエンティティによる専用使用のために前記フレーム内の第1の複数のサブ間隔を識別するステップと、
前記ネットワークオペレーティングエンティティによる優先使用のために前記フレーム内の第2の複数のサブ間隔を識別するステップと、
前記ネットワークオペレーティングエンティティによる日和見的使用のために前記フレーム内の第3の複数のサブ間隔を識別するステップと、
前記識別されたサブ間隔のうちの1つを使用して、前記ネットワークオペレーティングエンティティに関連付けられるワイヤレスノードと通信するステップと
を含む、方法。
【請求項２】
前記第1の複数のサブ間隔のうちの少なくとも1つの間に前記ワイヤレスノードと制御情報を通信するステップ
をさらに含む、請求項1に記載の方法。
【請求項３】
前記制御情報が、同期情報、システム情報、ページング情報、ランダムアクセス情報、またはそれらの組合せを含む、請求項2に記載の方法。
【請求項４】
前記第2の複数のサブ間隔のうちの少なくとも1つの間に前記ワイヤレスノードとデータを通信するステップ
をさらに含む、請求項1に記載の方法。
【請求項５】
前記第2の複数のサブ間隔のうちの前記少なくとも1つの間に前記ワイヤレスノードと制御情報、ページング情報、または両方を通信するステップ
をさらに含む、請求項1に記載の方法。
【請求項６】
前記フレーム内の少なくとも前記第1の複数のサブ間隔、前記第2の複数のサブ間隔、または前記第3の複数のサブ間隔のロケーションが、ネットワークオペレーティングエンティティコーディネータによって判定される、請求項1に記載の方法。
【請求項７】
前記ネットワークオペレーティングエンティティコーディネータがスペクトルアクセスシステム(SAS)を含む、請求項6に記載の方法。
【請求項８】
前記フレーム内の少なくとも前記第1の複数のサブ間隔、前記第2の複数のサブ間隔、または前記第3の複数のサブ間隔のロケーションが、前記複数のネットワークオペレーティングエンティティの数に少なくとも部分的に基づいて自律的に判定される、請求項1に記載の方法。
【請求項９】
前記第3の複数のサブ間隔のうちの少なくとも1つの間に他のネットワークオペレーティングエンティティからの通信を測定するステップ
をさらに含む、請求項1に記載の方法。
【請求項１０】
前記測定に少なくとも部分的に基づいて、前記第3の複数のサブ間隔のうちの前記少なくとも1つの間に前記他のネットワークオペレーティングエンティティからの通信の不在を判定するステップと、
前記判定に少なくとも部分的に基づいて、前記第3の複数のサブ間隔のうちの前記少なくとも1つの間にデータを通信するステップと
をさらに含む、請求項9に記載の方法。
【請求項１１】
前記測定に少なくとも部分的に基づいて、前記第3の複数のサブ間隔のうちの前記少なくとも1つの間に前記他のネットワークオペレーティングエンティティからの通信の存在を判定するステップと、
前記判定に少なくとも部分的に基づいて、前記第3の複数のサブ間隔のうちの前記少なくとも1つの間にデータを通信することを控えるステップと
をさらに含む、請求項9に記載の方法。
【請求項１２】
通信を測定する前記ステップがリッスンビフォアトーク(LBT)手順を含む、請求項9に記載の方法。
【請求項１３】
前記第3の複数のサブ間隔のうちの少なくとも1つの間により高い優先度のネットワークオペレーティングエンティティからのシグナリングを識別するステップであって、前記シグナリングが、前記第3の複数のサブ間隔のうちの前記少なくとも1つの間に前記より高い優先度のネットワークオペレーティングエンティティが通信しないことになることを示し、前記より高い優先度のネットワークオペレーティングエンティティが、前記第3の複数のサブ間隔のうちの前記少なくとも1つの間に前記ネットワークオペレーティングエンティティよりも高い通信優先度を有する、識別するステップと、
前記シグナリングに少なくとも部分的に基づいて、前記第3の複数のサブ間隔のうちの前記少なくとも1つの間にデータを通信するステップと
をさらに含む、請求項1に記載の方法。
【請求項１４】
前記第3の複数のサブ間隔のうちの少なくとも1つの間により高い優先度のネットワークオペレーティングエンティティからのシグナリングを識別するステップであって、前記シグナリングが、前記第3の複数のサブ間隔のうちの前記少なくとも1つの間に前記より高い優先度のネットワークオペレーティングエンティティが通信することになることを示し、前記より高い優先度のネットワークオペレーティングエンティティが、前記第3の複数のサブ間隔のうちの前記少なくとも1つの間に前記ネットワークオペレーティングエンティティよりも高い通信優先度を有する、識別するステップと、
前記シグナリングに少なくとも部分的に基づいて、前記第3の複数のサブ間隔のうちの前記少なくとも1つの間にデータを通信することを控えるステップと
をさらに含む、請求項1に記載の方法。
【請求項１５】
前記第2の複数のサブ間隔のうちの前記少なくとも1つの間に前記ワイヤレスノードとの通信が生じることになることをより低い優先度のネットワークオペレーティングエンティティに指示するステップであって、前記より低い優先度のネットワークオペレーティングエンティティが、前記第2の複数のサブ間隔のうちの前記少なくとも1つの間に前記ネットワークオペレーティングエンティティよりも低い通信優先度を有する、指示するステップ
をさらに含む、請求項1に記載の方法。
【請求項１６】
前記第2の複数のサブ間隔のうちの少なくとも1つの間に前記ワイヤレスノードとの通信が生じないことになることをより低い優先度のネットワークオペレーティングエンティティに指示するステップであって、前記より低い優先度のネットワークオペレーティングエンティティが、前記第2の複数のサブ間隔のうちの前記少なくとも1つの間に前記ネットワークオペレーティングエンティティよりも低い通信優先度を有する、指示するステップ
をさらに含む、請求項1に記載の方法。
【請求項１７】
別のネットワークオペレーティングエンティティに関連付けられる追加のワイヤレスノードから同期情報を受信するステップと、
前記同期情報に少なくとも部分的に基づいて前記ワイヤレスノードと通信するステップと
をさらに含む、請求項1に記載の方法。
【請求項１８】
多地点協調通信を使用して前記ワイヤレスノードと通信するステップ
をさらに含む、請求項1に記載の方法。
【請求項１９】
システムにおけるワイヤレス通信のための装置であって、
プロセッサと、
前記プロセッサと電子通信しているメモリと、
前記メモリ内に記憶された命令と
を含み、前記命令が、前記プロセッサによって実行されると、前記装置に、
複数のネットワークオペレーティングエンティティによって共有される共有無線周波数スペクトル帯域内のフレームを識別させ、
ネットワークオペレーティングエンティティによる専用使用のために前記フレーム内の第1の複数のサブ間隔を識別させ、
前記ネットワークオペレーティングエンティティによる優先使用のために前記フレーム内の第2の複数のサブ間隔を識別させ、
前記ネットワークオペレーティングエンティティによる日和見的使用のために前記フレーム内の第3の複数のサブ間隔を識別させ、
前記識別されたサブ間隔のうちの1つを使用して、前記ネットワークオペレーティングエンティティに関連付けられるワイヤレスノードと通信させる
ように動作可能である、装置。
【請求項２０】
ワイヤレス通信のための装置であって、
複数のネットワークオペレーティングエンティティによって共有される共有無線周波数スペクトル帯域内のフレームを識別するための手段と、
ネットワークオペレーティングエンティティによる専用使用のために前記フレーム内の第1の複数のサブ間隔を識別するための手段と、
前記ネットワークオペレーティングエンティティによる優先使用のために前記フレーム内の第2の複数のサブ間隔を識別するための手段と、
前記ネットワークオペレーティングエンティティによる日和見的使用のために前記フレーム内の第3の複数のサブ間隔を識別するための手段と、
前記識別されたサブ間隔のうちの1つを使用して、前記ネットワークオペレーティングエンティティに関連付けられるワイヤレスノードと通信するための手段と
を含む、装置。
【請求項２１】
前記第1の複数のサブ間隔のうちの少なくとも1つの間に前記ワイヤレスノードと制御情報を通信するための手段
をさらに含む、請求項20に記載の装置。
【請求項２２】
前記第2の複数のサブ間隔のうちの少なくとも1つの間に前記ワイヤレスノードとデータを通信するための手段
をさらに含む、請求項20に記載の装置。
【請求項２３】
前記第3の複数のサブ間隔のうちの少なくとも1つの間に他のネットワークオペレーティングエンティティからの通信を測定するための手段
をさらに含む、請求項20に記載の装置。
【請求項２４】
前記測定に少なくとも部分的に基づいて、前記第3の複数のサブ間隔のうちの前記少なくとも1つの間に前記他のネットワークオペレーティングエンティティからの通信の不在を判定するための手段と、
前記判定に少なくとも部分的に基づいて、前記第3の複数のサブ間隔のうちの前記少なくとも1つの間にデータを通信するための手段と
をさらに含む、請求項23に記載の装置。
【請求項２５】
前記測定に少なくとも部分的に基づいて、前記第3の複数のサブ間隔のうちの前記少なくとも1つの間に前記他のネットワークオペレーティングエンティティからの通信の存在を判定するための手段と、
前記判定に少なくとも部分的に基づいて、前記第3の複数のサブ間隔のうちの前記少なくとも1つの間にデータを通信することを控えるための手段と
をさらに含む、請求項23に記載の装置。
【請求項２６】
前記第3の複数のサブ間隔のうちの少なくとも1つの間により高い優先度のネットワークオペレーティングエンティティからのシグナリングを識別するための手段であって、前記シグナリングが、前記第3の複数のサブ間隔のうちの前記少なくとも1つの間に前記より高い優先度のネットワークオペレーティングエンティティが通信しないことになることを示し、前記より高い優先度のネットワークオペレーティングエンティティが、前記第3の複数のサブ間隔のうちの前記少なくとも1つの間に前記ネットワークオペレーティングエンティティよりも高い通信優先度を有する、識別するための手段と、
前記シグナリングに少なくとも部分的に基づいて、前記第3の複数のサブ間隔のうちの前記少なくとも1つの間にデータを通信するための手段と
をさらに含む、請求項20に記載の装置。
【請求項２７】
前記第3の複数のサブ間隔のうちの少なくとも1つの間により高い優先度のネットワークオペレーティングエンティティからのシグナリングを識別するための手段であって、前記シグナリングが、前記第3の複数のサブ間隔のうちの前記少なくとも1つの間に前記より高い優先度のネットワークオペレーティングエンティティが通信することになることを示し、前記より高い優先度のネットワークオペレーティングエンティティが、前記第3の複数のサブ間隔のうちの前記少なくとも1つの間に前記ネットワークオペレーティングエンティティよりも高い通信優先度を有する、識別するための手段と、
前記シグナリングに少なくとも部分的に基づいて、前記第3の複数のサブ間隔のうちの前記少なくとも1つの間にデータを通信することを控えるための手段と
をさらに含む、請求項20に記載の装置。
【請求項２８】
前記第2の複数のサブ間隔のうちの前記少なくとも1つの間に前記ワイヤレスノードとの通信が生じることになることをより低い優先度のネットワークオペレーティングエンティティに指示するための手段であって、前記より低い優先度のネットワークオペレーティングエンティティが、前記第2の複数のサブ間隔のうちの前記少なくとも1つの間に前記ネットワークオペレーティングエンティティよりも低い通信優先度を有する、指示するための手段
をさらに含む、請求項20に記載の装置。
【請求項２９】
前記第2の複数のサブ間隔のうちの少なくとも1つの間に前記ワイヤレスノードとの通信が生じないことになることをより低い優先度のネットワークオペレーティングエンティティに指示するための手段であって、前記より低い優先度のネットワークオペレーティングエンティティが、前記第2の複数のサブ間隔のうちの前記少なくとも1つの間に前記ネットワークオペレーティングエンティティよりも低い通信優先度を有する、指示するための手段
をさらに含む、請求項20に記載の装置。
【請求項３０】
ワイヤレス通信のためのコードを記憶する非一時的コンピュータ可読記録媒体であって、前記コードが、
複数のネットワークオペレーティングエンティティによって共有される共有無線周波数スペクトル帯域内のフレームを識別し、
ネットワークオペレーティングエンティティによる専用使用のために前記フレーム内の第1の複数のサブ間隔を識別し、
前記ネットワークオペレーティングエンティティによる優先使用のために前記フレーム内の第2の複数のサブ間隔を識別し、
前記ネットワークオペレーティングエンティティによる日和見的使用のために前記フレーム内の第3の複数のサブ間隔を識別し、
前記識別されたサブ間隔のうちの1つを使用して、前記ネットワークオペレーティングエンティティに関連付けられるワイヤレスノードと通信する
ためにプロセッサによって実行可能な命令を含む、非一時的コンピュータ可読記録媒体。
【発明の詳細な説明】
【技術分野】
【０００１】
相互参照
本特許出願は、その各々が本出願の譲受人に譲渡された、2017年3月30日に出願した、「Coordinated Resource Partitioning」と題する、Fanらによる米国特許出願第15/474,196号、および2016年10月13日に出願した「Coordinated Resource Partitioning」と題する、Fanらによる米国仮特許出願第62/407,772号の優先権を主張するものである。
【０００２】
以下は、一般に、ワイヤレス通信に関し、より詳細には、協調リソース区分に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能な場合がある。そのような多元接続システムの例としては、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム)がある。ワイヤレス多元接続通信システムは、場合によっては、ユーザ機器(UE)として知られている場合がある、複数の通信デバイスのための通信を各々が同時にサポートする、いくつかの基地局を含んでもよい。
【０００４】
ワイヤレス通信システムは、共有スペクトルを介して動作することができ、これは、ワイヤレス通信システムは、複数のネットワークオペレーティングエンティティによって共有され得る、1つまたは複数の周波数帯域を含むことを意味する。いくつかの事例では、周波数帯域の共有は、周波数帯域を特定のネットワークオペレーティングエンティティによる使用専用の非常に小さな帯域に再分割することを含み得る。他の事例では、2つ以上のネットワークオペレーティングエンティティによって使用するために帯域スペクトルの少なくとも部分が、利用可能であり得る。
【０００５】
利用可能な帯域スペクトルの使用は、その場合、媒体検知手順の使用を必要とし得る競合手順を条件とし得る。たとえば、異なるデバイス間または異なるネットワークオペレーティングエンティティによって動作させられるデバイス間の干渉を回避するために、ワイヤレス通信システムは、メッセージを送信する前に、特定のチャネルがクリアであることを確実にするために、リッスンビフォアトーク(LBT: listen-before-talk)などの媒体検知手順を採用することができる。媒体検知手順は、かなりのシグナリングオーバヘッドを利用する場合があり、結果として、レイテンシを増大させる場合があり、それにより、複数のネットワークオペレーティングエンティティによる共有スペクトルの使用に悪影響を及ぼす。したがって、ネットワークオペレーティングエンティティ間で共有スペクトルを割り振り使用するための改善された手順が望ましい。
【発明の概要】
【課題を解決するための手段】
【０００６】
説明する技法は、共有スペクトル内で1つまたは複数のネットワークオペレーティングエンティティ間でワイヤレス通信を協調させるためのリソースの区分を実現する。リソースの区分は、各ネットワークオペレーティングエンティティに対する特定のタイプの通信をより大きな時間フレーム内の特定の時間間隔に割り当てるステップを含み得る。たとえば、ネットワークオペレーティングエンティティに、専用通信のための時間間隔、他のネットワークオペレーティングエンティティに対する優先通信のための時間間隔、および日和見的通信(Opportunistic Communication)のための時間間隔を割り当てることができる。このように各ネットワークオペレーティングエンティティに時間間隔を割り振ることによって、いくつかのネットワークオペレーティングエンティティは、干渉およびシグナリングオーバヘッドを低減しながら、共有スペクトル上で効率的に通信することができる。
【０００７】
ワイヤレス通信の方法について説明する。この方法は、複数のネットワークオペレーティングエンティティによって共有される共有無線周波数スペクトル帯域内のフレームを識別するステップと、ネットワークオペレーティングエンティティによる専用使用のためにフレーム内の第1の複数のサブ間隔(sub-intervals)を識別するステップと、ネットワークオペレーティングエンティティによる優先使用のためにフレーム内の第2の複数のサブ間隔を識別するステップと、ネットワークオペレーティングエンティティによる日和見的使用のためにフレーム内の第3の複数のサブ間隔を識別するステップと、識別されたサブ間隔のうちの1つを使用して、ネットワークオペレーティングエンティティに関連付けられるワイヤレスノードと通信するステップとを含み得る。
【０００８】
ワイヤレス通信のための装置について説明する。この装置は、複数のネットワークオペレーティングエンティティによって共有される共有無線周波数スペクトル帯域内のフレームを識別するための手段と、ネットワークオペレーティングエンティティによる専用使用のためにフレーム内の第1の複数のサブ間隔を識別するための手段と、ネットワークオペレーティングエンティティによる優先使用のためにフレーム内の第2の複数のサブ間隔を識別するための手段と、ネットワークオペレーティングエンティティによる日和見的使用のためにフレーム内の第3の複数のサブ間隔を識別するための手段と、識別されたサブ間隔のうちの1つを使用して、ネットワークオペレーティングエンティティに関連付けられるワイヤレスノードと通信するための手段とを含み得る。
【０００９】
ワイヤレス通信のための別の装置について説明する。この装置は、プロセッサと、プロセッサと電子通信しているメモリと、メモリ内に記憶された命令とを含み得る。これらの命令は、プロセッサによって実行されると、装置に、複数のネットワークオペレーティングエンティティによって共有される共有無線周波数スペクトル帯域内のフレームを識別させ、ネットワークオペレーティングエンティティによる専用使用のためにフレーム内の第1の複数のサブ間隔を識別させ、ネットワークオペレーティングエンティティによる優先使用のためにフレーム内の第2の複数のサブ間隔を識別させ、ネットワークオペレーティングエンティティによる日和見的使用のためにフレーム内の第3の複数のサブ間隔を識別させ、識別されたサブ間隔のうちの1つを使用して、ネットワークオペレーティングエンティティに関連付けられるワイヤレスノードと通信させるように動作可能であり得る。
【００１０】
ワイヤレス通信のための非一時的コンピュータ可読媒体について説明する。この非一時的コンピュータ可読媒体は、プロセッサに、複数のネットワークオペレーティングエンティティによって共有される共有無線周波数スペクトル帯域内のフレームを識別させ、ネットワークオペレーティングエンティティによる専用使用のためにフレーム内の第1の複数のサブ間隔を識別させ、ネットワークオペレーティングエンティティによる優先使用のためにフレーム内の第2の複数のサブ間隔を識別させ、ネットワークオペレーティングエンティティによる日和見的使用のためにフレーム内の第3の複数のサブ間隔を識別させ、識別されたサブ間隔のうちの1つを使用して、ネットワークオペレーティングエンティティに関連付けられるワイヤレスノードと通信させるように動作可能な命令を含み得る。
【００１１】
上記で説明した方法、装置、および非一時的コンピュータ可読媒体のいくつかの例は、第1の複数のサブ間隔のうちの少なくとも1つの間にワイヤレスノードと制御情報を通信するためのプロセス、特徴、手段、または命令をさらに含み得る。上記で説明した方法、装置、および非一時的コンピュータ可読媒体のいくつかの例では、制御情報は、同期情報、システム情報、ページング情報、ランダムアクセス情報、またはそれらの組合せを含む。
【００１２】
上記で説明した方法、装置、および非一時的コンピュータ可読媒体のいくつかの例は、第2の複数のサブ間隔のうちの少なくとも1つの間にワイヤレスノードとデータを通信するためのプロセス、特徴、手段、または命令をさらに含み得る。上記で説明した方法、装置、および非一時的コンピュータ可読媒体のいくつかの例は、第2の複数のサブ間隔のうちの少なくとも1つの間にワイヤレスノードと制御情報、ページング情報、または両方を通信するためのプロセス、特徴、手段、または命令をさらに含み得る。
【００１３】
上記で説明した方法、装置、および非一時的コンピュータ可読媒体のいくつかの例では、フレーム内の少なくとも第1の複数のサブ間隔、第2の複数のサブ間隔、または第3の複数のサブ間隔のロケーションは、ネットワークオペレーティングエンティティコーディネータによって判定され得る。上記で説明した方法、装置、および非一時的コンピュータ可読媒体のいくつかの例では、ネットワークオペレーティングエンティティコーディネータはスペクトルアクセスシステム(SAS)を含む。
【００１４】
上記で説明した方法、装置、および非一時的コンピュータ可読媒体のいくつかの例では、フレーム内の少なくとも第1の複数のサブ間隔、第2の複数のサブ間隔、または第3の複数のサブ間隔のロケーションは、複数のネットワークオペレーティングエンティティの数に少なくとも部分的に基づいて自律的に判定され得る。
【００１５】
上記で説明した方法、装置、および非一時的コンピュータ可読媒体のいくつかの例は、第3の複数のサブ間隔のうちの少なくとも1つの間に他のネットワークオペレーティングエンティティからの通信を測定するためのプロセス、特徴、手段、または命令をさらに含み得る。上記で説明した方法、装置、および非一時的コンピュータ可読媒体のいくつかの例は、測定に少なくとも部分的に基づいて、第3の複数のサブ間隔のうちの少なくとも1つの間に他のネットワークオペレーティングエンティティからの通信の不在を判定するためのプロセス、特徴、手段、または命令をさらに含み得る。上記で説明した方法、装置、および非一時的コンピュータ可読媒体のいくつかの例は、判定に少なくとも部分的に基づいて、第3の複数のサブ間隔のうちの少なくとも1つの間にデータを通信するためのプロセス、特徴、手段、または命令をさらに含み得る。
【００１６】
上記で説明した方法、装置、および非一時的コンピュータ可読媒体のいくつかの例は、測定に少なくとも部分的に基づいて、第3の複数のサブ間隔のうちの少なくとも1つの間に他のネットワークオペレーティングエンティティからの通信の存在を判定するためのプロセス、特徴、手段、または命令をさらに含み得る。上記で説明した方法、装置、および非一時的コンピュータ可読媒体のいくつかの例は、判定に少なくとも部分的に基づいて、第3の複数のサブ間隔のうちの少なくとも1つの間にデータを通信することを控えるためのプロセス、特徴、手段、または命令をさらに含み得る。上述した方法、装置、および非一時的コンピュータ可読媒体のいくつかの例では、通信を測定するステップはLBT手順を含む。
【００１７】
上記で説明した方法、装置、および非一時的コンピュータ可読媒体のいくつかの例は、第3の複数のサブ間隔のうちの少なくとも1つの間により高い優先度のネットワークオペレーティングエンティティからのシグナリングを識別することであって、シグナリングが、第3の複数のサブ間隔のうちの少なくとも1つの間により高い優先度のネットワークオペレーティングエンティティが通信しないことになることを示し、より高い優先度のネットワークオペレーティングエンティティが、第3の複数のサブ間隔のうちの少なくとも1つの間にネットワークオペレーティングエンティティよりも高い通信優先度を有する、識別することを行うためのプロセス、特徴、手段、または命令をさらに含み得る。上記で説明した方法、装置、および非一時的コンピュータ可読媒体のいくつかの例は、シグナリングに少なくとも部分的に基づいて、第3の複数のサブ間隔のうちの少なくとも1つの間にデータを通信するためのプロセス、特徴、手段、または命令をさらに含み得る。
【００１８】
上記で説明した方法、装置、および非一時的コンピュータ可読媒体のいくつかの例は、第3の複数のサブ間隔のうちの少なくとも1つの間により高い優先度のネットワークオペレーティングエンティティからのシグナリングを識別することであって、シグナリングが、第3の複数のサブ間隔のうちの少なくとも1つの間により高い優先度のネットワークオペレーティングエンティティが通信することになることを示し、より高い優先度のネットワークオペレーティングエンティティが、第3の複数のサブ間隔のうちの少なくとも1つの間にネットワークオペレーティングエンティティよりも高い通信優先度を有する、識別することを行うためのプロセス、特徴、手段、または命令をさらに含み得る。上記で説明した方法、装置、および非一時的コンピュータ可読媒体のいくつかの例は、シグナリングに少なくとも部分的に基づいて、第3の複数のサブ間隔のうちの少なくとも1つの間にデータを通信することを控えるためのプロセス、特徴、手段、または命令をさらに含み得る。
【００１９】
上記で説明した方法、装置、および非一時的コンピュータ可読媒体のいくつかの例は、第2の複数のサブ間隔のうちの少なくとも1つの間にワイヤレスノードとの通信が生じることになることをより低い優先度のネットワークオペレーティングエンティティに指示することであって、より低い優先度のネットワークオペレーティングエンティティが、第2の複数のサブ間隔のうちの少なくとも1つの間にそのネットワークオペレーティングエンティティよりも低い通信優先度を有する、指示することを行うためのプロセス、特徴、手段、または命令をさらに含み得る。
【００２０】
上記で説明した方法、装置、および非一時的コンピュータ可読媒体のいくつかの例は、第2の複数のサブ間隔のうちの少なくとも1つの間にワイヤレスノードとの通信が生じないことになることをより低い優先度のネットワークオペレーティングエンティティに指示することであって、より低い優先度のネットワークオペレーティングエンティティが、第2の複数のサブ間隔のうちの少なくとも1つの間にネットワークオペレーティングエンティティよりも低い通信優先度を有する、指示することを行うためのプロセス、特徴、手段、または命令をさらに含み得る。
【００２１】
上記で説明した方法、装置、および非一時的コンピュータ可読媒体のいくつかの例は、別のネットワークオペレーティングエンティティに関連付けられる追加のワイヤレスノードから同期情報を受信するためのプロセス、特徴、手段、または命令をさらに含み得る。上記で説明した方法、装置、および非一時的コンピュータ可読媒体のいくつかの例は、同期情報に少なくとも部分的に基づいてワイヤレスノードと通信するためのプロセス、特徴、手段、または命令をさらに含み得る。
【００２２】
上記で説明した方法、装置、および非一時的コンピュータ可読媒体のいくつかの例は、多地点協調通信を使用してワイヤレスノードと通信するためのプロセス、特徴、手段、または命令をさらに含み得る。
【図面の簡単な説明】
【００２３】
【図１】本開示の態様による、協調リソース区分をサポートするワイヤレス通信のためのシステムの一例を示す図である。
【図２】本開示の態様による、協調リソース区分をサポートするワイヤレス通信のためのシステムの一例を示す図である。
【図３】本開示の態様による、協調リソース区分をサポートするタイミング図の一例を示す図である。
【図４】本開示の態様による、協調リソース区分をサポートするプロセスフローの一例を示す図である。
【図５】本開示の態様による、協調リソース区分をサポートするデバイスのブロック図である。
【図６】本開示の態様による、協調リソース区分をサポートするデバイスのブロック図である。
【図７】本開示の態様による、協調リソース区分をサポートするデバイスのブロック図である。
【図８】本開示の態様による、協調リソース区分をサポートするユーザ機器(UE)を含むシステムのブロック図である。
【図９】本開示の態様による、協調リソース区分をサポートする基地局を含むシステムのブロック図である。
【図１０】本開示の態様による、協調リソース区分のための方法を示す図である。
【図１１】本開示の態様による、協調リソース区分のための方法を示す図である。
【図１２】本開示の態様による、協調リソース区分のための方法を示す図である。
【図１３】本開示の態様による、協調リソース区分のための方法を示す図である。
【図１４】本開示の態様による、協調リソース区分のための方法を示す図である。
【図１５】本開示の態様による、協調リソース区分のための方法を示す図である。
【発明を実施するための形態】
【００２４】
異なるネットワークオペレーティングエンティティ(たとえば、ネットワークオペレータ)によって動作させられるワイヤレス通信システムは、スペクトルを共有することができる。いくつかの好ましい事例では、ネットワークオペレーティングエンティティは、別のネットワークオペレーティングエンティティが異なる時間期間にわたって指定された共有スペクトル全体を使用する前に、少なくともある時間期間にわたって指定された共有スペクトル全体を使用するように構成され得る。したがって、ネットワークオペレーティングエンティティが完全に指定された共有スペクトルを使用することを可能にするために、かつ異なるネットワークオペレーティングエンティティ間の通信への干渉を緩和するために、特定のリソース(たとえば、時間)を区分し、特定のタイプの通信のために異なるネットワークオペレーティングエンティティに割り振ることができる。
【００２５】
たとえば、共有スペクトル全体を使用するネットワークオペレーティングエンティティによる専用通信のために予約された特定の時間リソースをネットワークオペレーティングエンティティに割り振ることができる。ネットワークオペレーティングエンティティに他の時間リソースを割り振ることもでき、その場合、他のネットワークオペレーティングエンティティよりもそのエンティティの通信を優先させる。ネットワークオペレーティングエンティティによる使用のために優先されるこれらの時間リソースは、優先されるネットワークオペレーティングエンティティがそのリソースを利用しない場合、日和見ベース(Opportunistic Communication)で他のネットワークオペレーティングエンティティによって利用され得る。任意のネットワークオペレータが日和見ベースで使用するために追加の時間リソースを割り振ることもできる。
【００２６】
異なるネットワークオペレーティングエンティティの間の共有スペクトルに対するアクセスおよび時間リソースの調停は、別個のエンティティによって中央管理され得るか、事前定義された調停方式によって自律的に判定され得るか、またはネットワークオペレータのワイヤレスノード間の対話に基づいて動的に判定され得る。
【００２７】
本開示の態様について、最初にワイヤレス通信システムの文脈で説明する。本開示の態様について、タイミング図およびプロセスフロー図の文脈でも説明する。本開示の態様について、協調リソース区分に関する装置の図、システムの図、およびフローチャートによってさらに示し、かつそれらを参照しながら説明する。
【００２８】
図1は、本開示の態様による、協調リソース区分をサポートするワイヤレス通信システム100の一例を示す。ワイヤレス通信システム100は、基地局105と、ユーザ機器(UE)115と、コアネットワーク130とを含む。いくつかの例では、ワイヤレス通信システム100は共有スペクトル上で動作する。共有スペクトルは、1つまたは複数のネットワークオペレータに認可が与えられない場合があるか、または部分的に認可が与えられる場合がある。スペクトルに対するアクセスは、限定される場合があり、別個の協調エンティティによって制御される場合がある。いくつかの例では、ワイヤレス通信システム100は、ロングタームエボリューション(LTE)ネットワークまたはLTEアドバンストネットワークであり得る。さらに他の例では、ワイヤレス通信システム100は、ミリメートル波(mmW)システム、ニューラジオ(NR)システム、5Gシステム、またはLTEに対する任意の他の後続システムであり得る。ワイヤレス通信システム100は、2つ以上のネットワークオペレータによって動作させられてよい。ワイヤレスリソースは、ワイヤレス通信システム100上でネットワークオペレータ間の協調通信のために異なるネットワークオペレータの間で区分され調停され得る。
【００２９】
基地局105は、1つまたは複数の基地局アンテナを介してUE115とワイヤレス通信することができる。各基地局105は、それぞれの地理的カバレッジエリア110に通信カバレッジを提供することができる。ワイヤレス通信システム100内に示されている通信リンク125は、UE115から基地局105へのアップリンク(UL)送信、または基地局105からUE115へのダウンリンク(DL)送信を含み得る。UE115は、ワイヤレス通信システム100全体にわたって分散されてよく、各UE115は固定またはモバイルであってよい。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれることがあるか、または何らかの他の適切な用語で呼ばれることがある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、アプライアンス、自動車などであり得る。
【００３０】
基地局105は、コアネットワーク130と、また互いと通信することができる。コアネットワーク130は、ユーザ認証、アクセス許可、トラッキング、インターネットプロトコル(IP)接続、および他のアクセス機能、ルーティング機能、またはモビリティ機能を提供してもよい。(たとえば、発展型NodeB(eNB)もしくはアクセスノードコントローラ(ANC)の一例であり得る)基地局105のうちの少なくともいくつかは、バックホールリンク132(たとえば、S1、S2など)を通してコアネットワーク130とインターフェースすることができ、UE115との通信のための無線構成およびスケジューリングを実行することができる。種々の例において、基地局105は、有線通信リンクまたはワイヤレス通信リンクとすることができるバックホールリンク134(たとえば、X1、X2など)を介して、直接、または間接的に(たとえば、コアネットワーク130を通して)のいずれかで、互いに通信することができる。
【００３１】
各基地局105はまた、いくつかの他の基地局105を通していくつかのUE115と通信することができ、この場合、基地局105はスマート無線ヘッドの一例であり得る。代替構成では、各基地局105の様々な機能が、様々な基地局105(たとえば、無線ヘッドおよびアクセスネットワークコントローラ)に分散されること、または単一の基地局105に集約されることがある。
【００３２】
場合によっては、UE115および基地局105は、認可または無認可の周波数スペクトルを含み得る共有無線周波数スペクトル帯域内で動作し得る。共有無線周波数スペクトル帯域の無認可周波数部分において、UE115または基地局105は、従来から、周波数スペクトルにアクセスするために競合するための媒体検知手順を実行することができる。たとえば、UE115または基地局105は、共有チャネルが利用可能であるかどうかを判定するために、通信に先立って、クリアチャネル評価(CCA:Clear Channel Assessment)などのLBT手順を実行することができる。CCAは、任意の他のアクティブな送信があるかどうかを判断するためのエネルギー検出手順を含み得る。たとえば、デバイスは、電力メータの受信信号強度インジケータ(RSSI)の変化が、チャネルが占有されていることを指示すると推論し得る。具体的には、一定の帯域幅に集中し、所定の雑音フロアを超える信号電力は、別のワイヤレス送信機を示し得る。CCAはまた、チャネルの使用を指示する特定のシーケンスの検出を含み得る。たとえば、別のデバイスは、データシーケンスを送信するのに先立って特定のプリアンブルを送信することができる。場合によっては、LBT手順は、ワイヤレスノードが、チャネル上で検出されたエネルギー量および/または衝突のプロキシとしてその独自の送信パケットに対する肯定応答/否定応答(ACK/NACK)フィードバックに基づいて、その独自のバックオフウィンドウを調整することを含み得る。
【００３３】
無認可の共有スペクトルに対するアクセスを競合するための媒体検知手順の使用は、結果として、通信を非効率的にし得る。これは、複数のネットワークオペレーティングエンティティ(たとえば、ネットワークオペレータ)が共有リソースに対するアクセスを試みているときに特に明らかであり得る。ワイヤレス通信システム100において、基地局105およびUE115は、同じまたは異なるネットワークオペレーティングエンティティによって動作させられてよい。いくつかの例では、個々の基地局105またはUE115は、2つ以上のネットワークオペレーティングエンティティによって動作させられてよい。他の例では、各基地局105およびUE115は、単一のネットワークオペレーティングエンティティによって動作させられてよい。共有リソースを競合することを異なるネットワークオペレーティングエンティティの各基地局105およびUE115に要求することは、結果として、シグナリングオーバヘッドおよび通信レイテンシを増大させる場合がある。
【００３４】
したがって、いくつかの例では、ワイヤレス通信システム100は、複数のネットワークオペレーティングエンティティによって動作させられ、異なるネットワークオペレーティングエンティティがワイヤレススペクトル(たとえば、無認可スペクトル)を共有し得る。本開示の態様によれば、協調通信を円滑にするために、ネットワークオペレーティングエンティティ間で共有されるリソース(たとえば、時間)を区分し、ネットワークオペレーティングエンティティ間に割り振ることができる。たとえば、ワイヤレス通信システム100において、基地局105-a-1はUE115-a-1と通信することができ、これらは両方とも同じネットワークオペレーティングエンティティに関連付けられ得る。基地局105-a-2はUE115-a-2と通信することができ、これらは同様に異なるネットワークオペレーティングエンティティに関連付けられ得る。ネットワークオペレーティングエンティティに従って共有スペクトルを時間区分することによって、基地局105-a-1とUE115-a-1との間の通信および基地局105-a-2とUE115-a-2との間の通信は、各々、それぞれの時間間隔の間に生じ得、指定された共有スペクトル全体を利用することができる。そうするために、下記でより十分に説明するように、特定のリソース(たとえば、時間)を区分し、特定のタイプの通信のために異なるネットワークオペレーティングエンティティに割り振ることができる。
【００３５】
いくつかの例では、基地局105、またはコアネットワーク130のエンティティは、アクセスを管理し、ワイヤレス通信システム100内で動作している異なるネットワークオペレーティングエンティティの間でリソースの区分を協調させるためのセントラルアービトレータ(central arbitrator)として働くことができる。セントラルアービトレータは、いくつかの例では、スペクトルアクセスシステム(SAS)を含み得る。
【００３６】
いくつかの例では、ワイヤレス通信システム100は、時間同期され得る。このようにして、異なるネットワークオペレーティングエンティティは、各々、時間のフレーム内で異なる時間間隔で動作することができ、各ネットワークオペレーティングエンティティは他のネットワークオペレーティングエンティティと時間同期されている。従来から、ワイヤレス通信システム100にアクセスすることを試みるUE115は、基地局105からの1次同期信号(PSS)を検出することによって初期セル探索を実行することができる。PSSは、スロットタイミングの同期を可能にし得、物理レイヤ識別情報値を示し得る。UE115は、次いで、2次同期信号(SSS)を受信することができる。SSSは、無線フレーム同期を可能にし得、セルを識別するための物理レイヤ識別情報値と組み合わされ得るセル識別情報値を提供することができる。SSSはまた、複信モードおよびサイクリックプレフィックス長の検出を可能にし得る。時分割複信(TDD)システムなど、いくつかのシステムは、SSSは送信するが、PSSを送信しなくてよい。PSSとSSSの両方は、それぞれ、キャリアの中心内にあり得る。PSSとSSSとを受信した後、UE115は、物理ブロードキャストチャネル(PBCH)内で送信され得るマスタ情報ブロック(MIB)を受信することができる。MIBは、システム帯域幅情報と、システムフレーム番号(SFN)と、物理ハイブリッドARQインジケータチャネル(PHICH)構成とを含み得る。MIBを復号した後、UE115は、1つまたは複数のシステム情報ブロック(SIB)を受信することができる。たとえば、SIB1は、セルアクセスパラメータと、他のSIBのためのスケジューリング情報とを含み得る。SIB1を復号することは、UE115がSIB2を受信することを可能にし得る。SIB2は、ランダムアクセスチャネル(RACH)手順と、ページングと、物理アップリンク制御チャネル(PUCCH)と、物理アップリンク共有チャネル(PUSCH)と、電力制御と、サウンディング基準信号(SRS)と、セル禁止とに関係する無線リソース制御(RRC)構成情報を含み得る。
【００３７】
図2は、本開示の態様による、協調リソース区分をサポートするワイヤレス通信システム200の一例を示す。ワイヤレス通信システム200は、図1を参照しながら説明した対応するデバイスの例であり得る、基地局105-b-1、基地局105-b-2、UE115-b-1、およびUE115-b-2を含み得る。基地局105-b-1および基地局105-b-2は、UE115またはそれらのそれぞれのカバレッジエリア220および225内の他のワイヤレスデバイスと通信することができる。いくつかの例では、ワイヤレス通信システム200は、複数のネットワークオペレーティングエンティティ(たとえば、ネットワークオペレータ)によって動作させられ、異なるネットワークオペレーティングエンティティがワイヤレススペクトル(たとえば、無認可スペクトル)を共有することができる。本開示の態様によれば、協調通信を円滑にするために、ネットワークオペレーティングエンティティ間で共有されるリソース(たとえば、時間)を区分し、ネットワークオペレーティングエンティティ間に割り振ることができる。
【００３８】
基地局105-b-1は、1つまたは複数のネットワークオペレーティングエンティティによって動作させられてよい。たとえば、基地局105-b-1は、通信リンク205を介してUE115-b-1と通信するために第1のネットワークオペレーティングエンティティによって動作させられてよく、基地局105-b-1は、通信リンク210を介してUE115-b-2と通信するために第2のネットワークオペレーティングエンティティによって動作させられてよい。下記でより詳細に説明するように、基地局105-b-1におけるUE115-b-1とUE115-b-2との間の通信の協調は、区分されて第1および第2のネットワークオペレータ間に割り振られた時間スケールに基づき得る。
【００３９】
基地局105-b-2は、1つまたは複数のネットワークオペレーティングエンティティによって動作させられてもよい。いくつかの例では、基地局105-b-2は、通信リンク215を介してUE115-b-2と通信するために第3のネットワークオペレーティングエンティティによって動作させられる。この例では、UE115-b-2は、第2のネットワークオペレーティングエンティティと第3のネットワークオペレーティングエンティティの両方で動作するように構成され得る。UE115-b-2における基地局105-b-1と基地局105-b-2との間の通信の協調は、区分され、第2および第3のネットワークオペレータ間に割り振られた時間スケールに基づき得る。
【００４０】
ワイヤレス通信システム200によって使用される共有スペクトルは、複数のネットワークオペレーティングエンティティ間に協調リソース区分方式を採用することによって効率的に利用され得る。たとえば、共有スペクトルは、時間リソースを間隔に分類し、それらの間隔を異なるネットワークオペレーティングエンティティに割り当てることによって区分され得る。いくつかの例では、いくつかの時間間隔は、特定のネットワークオペレーティングエンティティによる専用使用のために割り振られてよい。他の時間間隔は、特定のネットワークオペレーティングエンティティによる優先使用のために割り振られてよいが、他のネットワークオペレーティングエンティティによる日和見的使用(Opportunistic Use)のために割り振られてもよい。さらに他の例では、特定の時間間隔は、すべてのネットワークオペレーティングエンティティによる日和見的使用のために指定されてよい。
【００４１】
ワイヤレス通信システム200に対するアクセス、リソースの区分および割振り、および/またはネットワークオペレーティングエンティティの同期は、セントラルコーディネータ(central coordinator)(たとえば、SAS)によって制御され得る。いくつかの例では、リソースの区分および分類は、ネットワークオペレーティングエンティティの数に基づいて自律的に判定され得る。ネットワークオペレーティングエンティティ間の同期は、中央集中シグナリングによって明示的に生じ得る。追加でまたは代替として、エンティティは、異なるネットワークオペレーティングエンティティからのワイヤレスノード(たとえば、基地局105)が互いに聴取し、それに応じて、タイミング同期を判定する「ネットワーク聴取」に基づく自己同期方式を採用することができる。
【００４２】
図3は、本開示の態様による、協調リソース区分のためのタイミング図300の一例を示す。タイミング図300は、固定持続時間(たとえば、20ms)を表し得るスーパーフレーム305を含む。スーパーフレーム305は、所与の通信セッションに対して繰り返されてよく、図1〜図2を参照しながら説明したワイヤレス通信システム100および200などのワイヤレスシステムによって使用され得る。スーパーフレーム305は、獲得間隔(A-INT)310および調停間隔315などの間隔に分割され得る。下記でより詳細に説明するように、A-INT310および調停間隔315は、特定のリソースタイプに指定されたサブ間隔に再分割され、異なるネットワークオペレーティングエンティティ間で協調通信を円滑にするために異なるネットワークオペレーティングエンティティに割り振られてよい。たとえば、調停間隔315は、複数のサブ間隔320に分割され得る。また、スーパーフレーム305は、固定持続時間(たとえば、1ms)を有する複数のサブフレーム325にさらに分割され得る。タイミング図300は、3つの異なるネットワークオペレーティングエンティティ(たとえば、オペレータA、オペレータB、オペレータC)を示すが、協調通信のためにスーパーフレーム305を使用するネットワークオペレーティングエンティティの数は、タイミング図300に示す数より多くてもまたは少なくてもよい。
【００４３】
A-INT310は、ネットワークオペレーティングエンティによる専用通信のために予約されたスーパーフレーム305の専用間隔であり得る。いくつかの例では、各ネットワークオペレーティングエンティティには、専用通信のためにA-INT310内で特定のリソースが割り振られてよい。たとえば、リソース330-aは、オペレータAによる専用通信のために予約されてよく、リソース330-bは、オペレータBによる専用通信のために予約されてよく、リソース330-cは、オペレータCによる専用通信のために予約されてよい。リソース330-aはオペレータAによる専用通信のために予約されるため、オペレータAがそれらのリソースの間に通信しないことを選んだ場合であっても、オペレータBもオペレータCもリソース330-aの間は通信することができない。すなわち、専用リソースに対するアクセスは指定されたネットワークオペレータに限定される。オペレータBに対するリソース330-bおよびオペレータCに対するリソース330-cに対しても同様の制限が適用される。オペレータA(たとえば、UE115または基地局105)のワイヤレスノードは、制御情報またはデータなど、それらの専用リソース330-aの間に所望される任意の情報を通信することができる。
【００４４】
専用リソース上で通信するとき、ネットワークオペレーティングエンティティは、何の媒体検知手順(たとえば、LBT)もクリアチャネル評価(CCA)も実行しなくてよいが、これはネットワークオペレーティングエンティティがそれらのリソースが予約されていることを知っているからである。指定されたネットワークオペレーティングエンティティのみが専用リソース上で通信することができるため、媒体検知技法のみに依存することと(たとえば、何の隠れたノード問題もないことと)比較して、通信干渉の低減された可能性が存在し得る。いくつかの例では、A-INT310は、同期信号(「SYNC」信号)、システム情報(たとえば、システム情報ブロック(SIB))、ページング情報(たとえば、PBCHメッセージ)、またはランダムアクセス情報(たとえば、RACH信号)など、制御情報を送信するために使用される。いくつかの例では、ネットワークオペレーティングエンティティに関連付けられるワイヤレスノードのすべてがそれらの専用リソースの間に同時に送信することができる。
【００４５】
いくつかの例では、リソースは、特定のネットワークオペレーティングエンティティに対して優先されるとして分類され得る。特定のネットワークオペレーティングエンティティに対して優先して割り当てられたリソースは、そのネットワークオペレーティングエンティティに対する保証間隔(G-INT)と呼ばれることがある。G-INTの間にネットワークオペレーティングエンティティによって使用されるリソースの間隔は、優先サブ間隔と呼ばれることがある。たとえば、リソース335-aは、オペレータAによる使用のために優先されてよく、したがって、オペレータAに対するG-INT(たとえば、G-INT-OpA)と呼ばれることがある。同様に、リソース335-bは、オペレータBのために優先されてよく、リソース335-cは、オペレータCのために優先されてよく、リソース335-dは、オペレータAのために優先されてよく、リソース335-eは、オペレータBのために優先されてよく、リソース335-fは、オペレータCのために優先されてよい。
【００４６】
図3に示す様々なG-INTリソースは、それらのそれぞれのネットワークオペレーティングエンティティとのそれらの関連性を示すためにスタガされているように見えるが、これらのリソースはすべて同じ周波数帯域幅上にあり得る。したがって、時間周波数グリッドに沿って見た場合、G-INTリソースは、スーパーフレーム305内の連続ラインと見える場合がある。データのこの区分は、時分割多重化(TDM)の一例であり得る。また、リソースが同じサブ間隔内に見えるとき(たとえば、リソース340-aおよびリソース335-b)、これらのリソースは、スーパーフレーム305に関して同じ時間リソースを表す(たとえば、リソースは同じサブ間隔320を占有する)が、同じ時間リソースが異なるオペレータに対して異なって分類され得ることを示すために、これらのリソースは別個に指定される。
【００４７】
リソースに特定のネットワークオペレーティングエンティティに対する優先度が割り当てられるとき(たとえば、G-INT)、そのネットワークオペレーティングエンティティは、何の媒体検知手順(たとえば、LBTまたはCCA)も待たずに、またはそれらを実行せずに、それらのリソースを使用して通信することができる。たとえば、オペレータAのワイヤレスノードは、オペレータBまたはオペレータCのワイヤレスノードからの干渉なしに、リソース335-aの間に何らかのデータまたは制御情報を自由に通信する。
【００４８】
ネットワークオペレーティングエンティティは、加えて、そのネットワークオペレーティングエンティティが特定のG-INTを使用することを意図することを別のオペレータにシグナリングすることができる。たとえば、リソース335-aを参照すると、オペレータAは、オペレータAがリソース335-aを使用することを意図することをオペレータBおよびオペレータCにシグナリングすることができる。そのようなシグナリングは、アクティビティ指示と呼ばれることがある。その上、オペレータAはリソース335-aに対して優先度を有するため、オペレータAは、オペレータBとオペレータCの両方よりも高い優先度のオペレータと見なされ得る。しかしながら、上記で論じたように、オペレータAはリソース335-aの間で干渉のない送信を確実にするために、他のネットワークオペレーティングエンティティにシグナリングを送らなくてもよいが、これは、リソース335-aが優先してオペレータAに割り当てられるためである。
【００４９】
同様に、ネットワークオペレーティングエンティティは、そのネットワークオペレーティングエンティティが特定のG-INTを使用しないことを意図することを別のネットワークオペレーティングエンティティにシグナリングすることができる。このシグナリングも、アクティビティ指示と呼ばれることがある。たとえば、リソース335-bを参照すると、オペレータBは、それらのリソースが優先してオペレータBに割り当てられても、オペレータBが通信のためにリソース335-bを使用しないことを意図することをオペレータAおよびオペレータCにシグナリングすることができる。リソース335-bを参照すると、オペレータBは、オペレータAおよびオペレータCよりも高い優先度のネットワークオペレーティングエンティティと見なされ得る。そのような場合、オペレータAおよびCは、日和見ベースでサブ間隔320のリソースを使用することを試みることができる。したがって、オペレータAの観点から、リソース335-bを含むサブ間隔320は、オペレータAに対する日和見的間隔(O-INT)(たとえば、O-INT-OpA)と見なされ得る。説明のために、リソース340-aは、オペレータAに対するO-INTを表し得る。また、オペレータCの観点から、同じサブ間隔320は、対応するリソース340-bを有するオペレータCに対するO-INTを表し得る。リソース340-a、335-b、および340-bはすべて、同じ時間リソース(たとえば、特定のサブ間隔320)を表すが、同じリソースはいくつかのネットワークオペレーティングエンティティに対するG-INTと見なされ得、しかも、他のネットワークオペレーティングエンティティに対するO-INTと見なされ得ることを示すために、別個に識別される。
【００５０】
日和見ベースでリソースを利用するために、オペレータAおよびオペレータCは、データを送信する前に特定のチャネル上の通信を検査するために媒体検知手順を実行することができる。たとえば、オペレータBがリソース335-b(たとえば、G-INT-OpB)を使用しないことを決定した場合、オペレータAは、まず、干渉に対してチャネルを検査し(たとえば、LBT)、次いで、そのチャネルがクリアであると判定された場合、データを送信することによって、(たとえば、リソース340-aによって表される)それらの同じリソースを使用することができる。同様に、オペレータBがそのG-INTを使用するつもりがなかったとの指示に応じて、オペレータCがサブ間隔320の間に日和見ベースでリソースにアクセスすること(たとえば、リソース340-bによって表されるO-INTを使用すること)を望んだ場合、オペレータCは、媒体検知手順を実行し、利用可能な場合、それらのリソースにアクセスすることができる。場合によっては、2つのオペレータ(たとえば、オペレータAおよびオペレータC)は、同じリソースにアクセスすることを試みる場合があり、その場合、これらのオペレータは、通信への干渉を回避するために競合ベースの手順を採用することができる。2つ以上のオペレータが同時にアクセスを試みている場合、オペレータは、どのオペレータがそれらのリソースに対するアクセスを得ることができるかを判定するように設計されたサブ優先度(sub-priorities)を自らに割り当てさせることもできる。
【００５１】
いくつかの例では、ネットワークオペレーティングエンティティは、自らに割り当てられた特定のG-INTを使用しないことを意図する場合があるが、それらのリソースを使用しない意図を伝達するアクティビティ指示を送り出さなくてよい。そのような場合、特定のサブ間隔320に対して、より低い優先度のオペレーティングエンティティは、より高い優先度のオペレーティングエンティティがそれらのリソースを使用しているかどうかを判定するためにそのチャネルを監視するように構成され得る。より低い優先度のオペレーティングエンティティが、LBTまたは同様の方法によって、より高い優先度のオペレーティングエンティティがそのG-INTリソースを使用しないことになると判定した場合、より低い優先度のオペレーティングエンティティは、上記で説明したように、日和見ベースでそれらのリソースに対するアクセスを試みることができる。
【００５２】
いくつかの例では、G-INTまたはO-INTに対するアクセスは、予約信号(たとえば、送信要求(RTS)/送信可(CTS))が先行し、競合ウィンドウ(CW)は、1つのオペレーティングエンティティおよび総数のオペレーティングエンティティの中からランダムに選ばれてよい。
【００５３】
いくつかの例では、オペレーティングエンティティは、多地点協調(CoMP:Coordinated Multipoint)通信を採用することができるか、またはそれに適合することができる。たとえば、オペレーティングエンティティは、必要に応じて、G-INT内でCoMPおよび動的な時分割複信(TDD)を採用し、O-INT内で日和見的CoMPを採用することができる。
【００５４】
図3に示す例では、各サブ間隔320は、オペレータA、B、またはCのうちの1つに対してG-INTを含む。しかしながら、場合によっては、1つまたは複数のサブ間隔320は、専用使用のため予約されず、または優先使用のためにも予約されないリソース(たとえば、非割当てリソース)を含み得る。そのような非割当てリソースは、いずれかのネットワークオペレーティングエンティティに対するO-INTと見なされてよく、上記で説明したように日和見ベースでアクセスされ得る。
【００５５】
いくつかの例では、各サブフレーム325は、14個のシンボル(たとえば、60kHzトーン間隔に対して250μs)を含み得る。これらのサブフレーム325は、スタンドアロンの自己完結型間隔C(ITC)であり得るか、またはサブフレーム325は、長いITCの一部分であり得る。ITCは、ダウンリンク送信で始まり、アップリンク送信で終わる、自己完結型送信であり得る。いくつかの例では、ITCは、媒体占有時に連続して動作する、1つまたは複数のサブフレーム325を含み得る。場合によっては、250μs送信機会を仮定すると、(たとえば、2msの持続時間を有する)A-INT310内に最大で8つのネットワークオペレータが存在し得る。
【００５６】
3つのオペレータが図3に示されているが、より多数のまたはより少数のネットワークオペレーティングエンティティが、上記で説明したような様式で協調して動作するように構成され得ることを理解されたい。場合によっては、各オペレータに対するスーパーフレーム305内のG-INT、O-INT、またはA-INTのロケーションは、システム内でアクティブなネットワークオペレーティングエンティティの数に基づいて自律的に判定される。たとえば、1つのネットワークオペレーティングエンティティのみが存在する場合、各サブ間隔320は、単一のネットワークオペレーティングエンティティに対してG-INTによって占有され得るか、またはサブ間隔320は、そのネットワークオペレーティングエンティティに対するG-INTと、他のネットワークオペレーティングエンティティが参加することを可能にするためのO-INTとの間で交互し得る。2つのネットワークオペレーティングエンティティが存在する場合、サブ間隔320は、第1のネットワークオペレーティングエンティティに対するG-INTと第2のネットワークオペレーティングエンティティに対するG-INTの間で交互し得る。3つのネットワークオペレーティングエンティティが存在する場合、各ネットワークオペレーティングエンティティに対するG-INTおよびO-INTは、図3に示すように設計され得る。4つのネットワークオペレーティングエンティティが存在する場合、初めの4つのサブ間隔320は、4つのネットワークオペレーティングエンティティに対して連続するG-INTを含んでよく、残りの2つのサブ間隔320はO-INTを含んでよい。同様に、5つのネットワークオペレーティングエンティティが存在する場合、初めの5つのサブ間隔320は、5つのネットワークオペレーティングエンティティに対して連続するG-INTを含んでよく、残りのサブ間隔320はO-INTを含んでよい。6つのネットワークオペレーティングエンティティが存在する場合、すべての6つのサブ間隔320は、各ネットワークオペレーティングエンティティに対して連続するG-INTを含んでよい。これらの例は、説明のためだけであり、他の自律的に判定される間隔割振りが使用され得ることを理解されたい。
【００５７】
図3を参照しながら説明した協調フレームワークは、説明のためだけであることを理解されたい。たとえば、スーパーフレーム305の持続時間は、20msより長くてもまたは短くてもよい。また、サブ間隔320およびサブフレーム325の数、持続時間、およびロケーションは、示される構成とは異なり得る。また、リソース指定のタイプ(たとえば、専用、優先、非割当て)は、異なってよいか、またはより多数のまたはより少数のサブ指定(sub-designations)を含んでよい。
【００５８】
図4は、本開示の態様による、協調リソース区分をサポートする、UE115-cと基地局105-cとの間のフロー図400の一例を示す。UE115-cおよび基地局105-bは、図1〜図3を参照しながら説明した対応するエンティティの例であり得る。
【００５９】
ステップ405において、UE115-cと基地局105-cとの間でワイヤレス接続を確立することができる。基地局105-cおよびUE115-cは、共通のネットワークオペレーティングエンティティによって動作させられてよい。ワイヤレス接続は、アクセスシグナリングまたは同期シグナリングなどの制御シグナリングの交換を含み得るか、またはそれが先行し得る。
【００６０】
ステップ410において、基地局105-cは、他のネットワークオペレーティングエンティティによって共有される共有周波数スペクトル帯域内のフレームを識別することができる。フレームは、図3を参照しながら説明したようなスーパーフレーム305であり得る。いくつかの例では、UE115はフレームを識別することができる。
【００６１】
ステップ415において、基地局105-cは、そのネットワークオペレーティングエンティティによる専用使用のためである、フレーム内の第1の複数のサブ間隔を識別することができる。たとえば、第1の複数のサブ間隔は、図3を参照しながら説明したように、サブフレーム305のA-INT内に1つまたは複数のサブ間隔を含み得る。いくつかの例では、基地局105-cは、そのネットワークオペレーティングエンティティによる専用使用のために予約されたフレーム内の単一のサブ間隔を識別することができる。追加でまたは代替として、UE115-cは、第1の複数のサブ間隔を識別する。
【００６２】
ステップ420において、基地局105-cは、A-INT内のサブ間隔の間に制御情報をUE115-cに通信することができる。制御情報は、同期情報、システム情報、ページング情報、ランダムアクセス情報、またはそれらの組合せを含み得る。いくつかの例では、UE115-cは制御情報を基地局105-cに通信することができる。
【００６３】
ステップ425において、基地局105-cは、そのネットワークオペレーティングエンティティによる優先使用のためにフレーム内の第2の複数のサブ間隔を識別することができる。第2の複数のサブ間隔は、図3を参照しながら説明したように、1つまたは複数のG-INTを含み得る。
【００６４】
ステップ430において、基地局105-cは、G-INTの間にUE115-cとデータを通信することができる。いくつかの他の場合、基地局105-cは、G-INTの間にUE115-cと制御情報、ページング情報、または両方を通信することができる。
【００６５】
場合によっては、G-INTの間、基地局105-cは、G-INTの間にUE115-cとの通信が生じることになるか、ならないかを、より低い優先度のネットワークオペレーティングエンティティに指示することができ、より低い優先度のネットワークオペレーティングエンティティは、G-INTの間により低い通信優先度を有する。そのような場合、より低い優先度のネットワークオペレーティングエンティティは、日和見ベースでG-INTにアクセスすることができる。
【００６６】
ステップ435において、基地局105-cは、そのネットワークオペレーティングエンティティによる日和見的使用のためにフレーム内の第3の複数のサブ間隔を識別することができる。サブ間隔は、図3を参照しながら説明したように、1つまたは複数のO-INTを含み得る。
【００６７】
ステップ440において、基地局105-cは、O-INTの間に他のネットワークオペレーティングエンティティからの通信を測定するために媒体検知手順を実行することができる。通信の測定は、LBT手順を含み得る。
【００６８】
場合によっては、ステップ445において、O-INTの間の他のネットワークオペレーティングエンティティからの通信の不在を判定することによって、基地局105-cはUE115-cとデータを通信することができる。
【００６９】
場合によっては、識別されたフレーム内のA-INT、G-INT、またはO-INTのロケーションは、ネットワークオペレーティングエンティティコーディネータ(たとえば、SAS)によって判定され得る。
【００７０】
図5は、本開示の態様による、協調リソース区分をサポートするワイヤレスデバイス505のブロック図500を示す。ワイヤレスデバイス505は、図1を参照しながら説明したような、ユーザ機器(UE)115または基地局105の態様の一例であり得る。ワイヤレスデバイス505は、受信機510と、通信マネージャ515と、送信機520とを含み得る。ワイヤレスデバイス505はまた、プロセッサを含み得る。これらの構成要素の各々は、(たとえば、1つまたは複数のバスを介して)互いに通信していてもよい。
【００７１】
受信機510は、パケット、ユーザデータ、または様々な情報チャネル(たとえば、制御チャネル、データチャネル、および協調リソース区分に関する情報など)に関連付けられる制御情報などの情報を受信し得る。情報は、デバイスの他の構成要素に渡されてよい。受信機510は、図8を参照しながら説明するトランシーバ835の態様の一例であり得る。
【００７２】
通信マネージャ515は、図8を参照しながら説明する通信マネージャ815の態様の一例であり得る。
【００７３】
通信マネージャ515は、ネットワークオペレーティングエンティティのセットによって共有される共有無線周波数スペクトル帯域内のフレームを識別し、ネットワークオペレーティングエンティティによる専用使用のためにフレーム内のサブ間隔の第1のセットを識別し、ネットワークオペレーティングエンティティによる優先使用のためにフレーム内のサブ間隔の第2のセットを識別し、ネットワークオペレーティングエンティティによる日和見的使用のためにフレーム内のサブ間隔の第3のセットを識別し、識別されたサブ間隔のうちの1つを使用して、ネットワークオペレーティングエンティティに関連付けられるワイヤレスノードと通信することができる。
【００７４】
送信機520は、デバイスの他の構成要素によって生成された信号を送信することができる。いくつかの例では、送信機520は、トランシーバモジュール内で受信機510と併置され得る。たとえば、送信機520は、図8を参照しながら説明するトランシーバ835の態様の一例であり得る。送信機520は、単一のアンテナを含んでよいか、またはアンテナのセットを含んでもよい。
【００７５】
図6は、本開示の態様による、協調リソース区分をサポートするワイヤレスデバイス605のブロック図600を示す。ワイヤレスデバイス605は、図1および図5を参照しながら説明したような、ワイヤレスデバイス505、もしくはUE115、または基地局105の態様の一例であり得る。ワイヤレスデバイス605は、受信機610と、通信マネージャ615と、送信機620とを含み得る。ワイヤレスデバイス605はまた、プロセッサを含み得る。これらの構成要素の各々は、(たとえば、1つまたは複数のバスを介して)互いに通信していてもよい。
【００７６】
受信機610は、パケット、ユーザデータ、または様々な情報チャネル(たとえば、制御チャネル、データチャネル、および協調リソース区分に関する情報など)に関連付けられる制御情報などの情報を受信し得る。情報は、デバイスの他の構成要素に渡されてよい。受信機610は、図8を参照しながら説明するトランシーバ835の態様の一例であり得る。
【００７７】
通信マネージャ615は、図8を参照しながら説明する通信マネージャ815の態様の一例であり得る。
【００７８】
通信マネージャ615はまた、共有スペクトル構成要素625と、専用リソース構成要素630と、優先リソース構成要素635と、非割当てリソース構成要素640と、通信構成要素645とを含み得る。
【００７９】
共有スペクトル構成要素625は、ネットワークオペレーティングエンティティのセットによって共有される共有無線周波数スペクトル帯域内のフレームを識別することができる。
【００８０】
専用リソース構成要素630は、ネットワークオペレーティングエンティティによる専用使用のためにフレーム内のサブ間隔の第1のセットを識別し、サブ間隔の第1のセットのうちの少なくとも1つの間にワイヤレスノードと制御情報を通信することができる。場合によっては、制御情報は、同期情報、システム情報、ページング情報、ランダムアクセス情報、またはそれらの組合せを含む。
【００８１】
優先リソース構成要素635は、ネットワークオペレーティングエンティティによる優先使用のためにフレーム内のサブ間隔の第2のセットを識別し、サブ間隔の第2のセットのうちの少なくとも1つの間にワイヤレスノードとデータを通信し、サブ間隔の第2のセットのうちの少なくとも1つの間にワイヤレスノードと制御情報、ページング情報、または両方を通信することができる。場合によっては、優先リソース構成要素635は、サブ間隔の第2のセットのうちの少なくとも1つの間にワイヤレスノードとの通信が生じることになることをより低い優先度のネットワークオペレーティングエンティティに指示することができ、より低い優先度のネットワークオペレーティングエンティティは、サブ間隔の第2のセットのうちの少なくとも1つの間にそのネットワークオペレーティングエンティティよりも低い通信優先度を有する。
【００８２】
いくつかの他の場合、優先リソース構成要素635は、サブ間隔の第2のセットのうちの少なくとも1つの間にワイヤレスノードとの通信が生じないことになることをより低い優先度のネットワークオペレーティングエンティティに指示することができ、より低い優先度のネットワークオペレーティングエンティティは、サブ間隔の第2のセットのうちの少なくとも1つの間にそのネットワークオペレーティングエンティティよりも低い通信優先度を有する。
【００８３】
非割当てリソース構成要素640は、ネットワークオペレーティングエンティティによる日和見的使用のためにフレーム内のサブ間隔の第3のセットを識別することができる。
【００８４】
通信構成要素645は、識別されたサブ間隔のうちの1つを使用して、ネットワークオペレーティングエンティティに関連付けられるワイヤレスノードと通信し、判定に基づいて、サブ間隔の第3のセットのうちの少なくとも1つの間にデータを通信し、判定に基づいて、サブ間隔の第3のセットのうちの少なくとも1つの間にデータを通信することを控え、シグナリングに基づいて、サブ間隔の第3のセットのうちの少なくとも1つの間にデータを通信し、シグナリングに基づいて、サブ間隔の第3のセットのうちの少なくとも1つの間にデータを通信することを控え、同期情報に基づいて、ワイヤレスノードと通信することができる。
【００８５】
送信機620は、デバイスの他の構成要素によって生成された信号を送信することができる。いくつかの例では、送信機620は、トランシーバモジュール内で受信機610と併置され得る。たとえば、送信機620は、図8を参照しながら説明するトランシーバ835の態様の一例であり得る。送信機620は、単一のアンテナを含んでよいか、またはアンテナのセットを含んでもよい。
【００８６】
図7は、本開示の態様による、協調リソース区分をサポートする通信マネージャ715のブロック図700を示す。通信マネージャ715は、図5、図6、および図8を参照しながら説明する、通信マネージャ515、通信マネージャ615、または通信マネージャ815の態様の一例であり得る。通信マネージャ715は、共有スペクトル構成要素720と、専用リソース構成要素725と、優先リソース構成要素730と、非割当てリソース構成要素735と、通信構成要素740と、スペクトルアクセスコーディネータ745と、ネットワーク聴取構成要素750と、媒体検知構成要素755と、同期構成要素760と、CoMP構成要素765とを含み得る。これらのモジュールの各々は、(たとえば、1つまたは複数のバスを介して)互いと直接または間接的に通信してもよい。
【００８７】
共有スペクトル構成要素720は、ネットワークオペレーティングエンティティのセットによって共有される共有無線周波数スペクトル帯域内のフレームを識別することができる。
【００８８】
専用リソース構成要素725は、ネットワークオペレーティングエンティティによる専用使用のためにフレーム内のサブ間隔の第1のセットを識別し、サブ間隔の第1のセットのうちの少なくとも1つの間にワイヤレスノードと制御情報を通信することができる。場合によっては、制御情報は、同期情報、システム情報、ページング情報、ランダムアクセス情報、またはそれらの組合せを含む。
【００８９】
優先リソース構成要素730は、ネットワークオペレーティングエンティティによる優先使用のためにフレーム内のサブ間隔の第2のセットを識別し、サブ間隔の第2のセットのうちの少なくとも1つの間にワイヤレスノードとデータを通信し、サブ間隔の第2のセットのうちの少なくとも1つの間にワイヤレスノードと制御情報、ページング情報、または両方を通信することができる。場合によっては、優先リソース構成要素730は、サブ間隔の第2のセットのうちの少なくとも1つの間にワイヤレスノードとの通信が生じることになることをより低い優先度のネットワークオペレーティングエンティティに指示することができ、より低い優先度のネットワークオペレーティングエンティティは、サブ間隔の第2のセットのうちの少なくとも1つの間にそのネットワークオペレーティングエンティティによりも低い通信優先度を有する。
【００９０】
いくつかの他の場合、優先リソース構成要素730は、サブ間隔の第2のセットのうちの少なくとも1の間にワイヤレスノードとの通信が生じないことになることをより低い優先度のネットワークオペレーティングエンティティに指示することができ、より低い優先度のネットワークオペレーティングエンティティは、サブ間隔の第2のセットのうちの少なくとも1つの間にそのネットワークオペレーティングエンティティよりも低い通信優先度を有する。
【００９１】
非割当てリソース構成要素735は、ネットワークオペレーティングエンティティによる日和見的使用のためにフレーム内のサブ間隔の第3のセットを識別することができる。
【００９２】
通信構成要素740は、識別されたサブ間隔のうちの1つを使用して、ネットワークオペレーティングエンティティに関連付けられるワイヤレスノードと通信し、判定に基づいて、サブ間隔の第3のセットのうちの少なくとも1つの間にデータを通信し、判定に基づいて、サブ間隔の第3のセットのうちの少なくとも1つの間にデータを通信することを控え、シグナリングに基づいて、サブ間隔の第3のセットのうちの少なくとも1つの間にデータを通信し、シグナリングに基づいて、サブ間隔の第3のセットのうちの少なくとも1つの間にデータを通信することを控え、同期情報に基づいて、ワイヤレスノードと通信することができる。
【００９３】
スペクトルアクセスコーディネータ745は、複数のネットワークオペレーティングエンティティによって共有される共有周波数スペクトル帯域のフレーム内のサブ間隔の3つのセットを判定することができる。場合によっては、フレーム内の少なくともサブ間隔の第1のセット、サブ間隔の第2のセット、またはサブ間隔の第3のセットのロケーションは、ネットワークオペレーティングエンティティコーディネータによって判定される。場合によっては、ネットワークオペレーティングエンティティコーディネータはSASを含む。
【００９４】
ネットワーク聴取構成要素750は、アクティブなネットワークオペレーティングエンティティの数を判定することができる。場合によっては、フレーム内の少なくともサブ間隔の第1のセット、サブ間隔の第2のセット、またはサブ間隔の第3のセットのロケーションは、ネットワークオペレーティングエンティティのセットの数に基づいて自律的に判定される。
【００９５】
媒体検知構成要素755は、サブ間隔の第3のセットのうちの少なくとも1つの間に他のネットワークオペレーティングエンティティからの通信を測定し、測定に基づいて、サブ間隔の第3のセットのうちの少なくとも1つの間に他のネットワークオペレーティングエンティティからの通信の不在を判定することができる。
【００９６】
いくつかの他の場合、媒体検知構成要素755は、測定に基づいて、サブ間隔の第3のセットのうちの少なくとも1つの間に他のネットワークオペレーティングエンティティからの通信の存在を判定し、サブ間隔の第3のセットのうちの少なくとも1つの間により高い優先度のネットワークオペレーティングエンティティからのシグナリングを識別することができる。場合によっては、シグナリングは、より高い優先度のネットワークオペレーティングエンティティがサブ間隔の第3のセットのうちの少なくとも1つの間に通信しないことになることを指示することができ、より高い優先度のネットワークオペレーティングエンティティは、サブ間隔の第3のセットのうちの少なくとも1つの間にネットワークオペレーティングエンティティよりも高い通信優先度を有する。
【００９７】
いくつかの他の場合、シグナリングは、サブ間隔の第3のセットの少なくとも1つの間により高い優先度のネットワークオペレーティングエンティティが通信することになることを指示することができ、より高い優先度のネットワークオペレーティングエンティティは、サブ間隔の第3のセットのうちの少なくとも1つの間にネットワークオペレーティングエンティティよりも高い通信優先度を有する。場合によっては、通信の測定はLBT手順を含む。
【００９８】
同期構成要素760は、別のネットワークオペレーティングエンティティに関連付けられる追加のワイヤレスノードから同期情報を受信することができる。
【００９９】
CoMP構成要素765は、多地点協調通信を使用してワイヤレスノードと通信することができる。
【０１００】
図8は、本開示の態様による、協調リソース区分をサポートするデバイス805を含むシステム800の図を示す。デバイス805は、たとえば、図1、図5、および図6を参照して上記で説明したような、ワイヤレスデバイス505、ワイヤレスデバイス605、またはUE115の構成要素の一例であり得るか、またはそれらを含み得る。デバイス805は、UE通信マネージャ815と、プロセッサ820と、メモリ825と、ソフトウェア830と、トランシーバ835と、アンテナ840と、I/Oコントローラ845とを含む、通信を送信および受信するための構成要素を含む、双方向音声およびデータ通信のための構成要素を含み得る。これらの構成要素は、1つまたは複数のバス(たとえば、バス810)を介して電子通信することができる。デバイス805は、1つまたは複数の基地局105とワイヤレス通信してもよい。
【０１０１】
プロセッサ820は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。場合によっては、プロセッサ820は、メモリコントローラを使用してメモリアレイを動作させるように構成され得る。他の場合には、メモリコントローラは、プロセッサ820に統合され得る。プロセッサ820は、様々な機能(たとえば、協調リソース区分をサポートする機能またはタスク)を実行するために、メモリに記憶されたコンピュータ可読命令を実行するように構成され得る。
【０１０２】
メモリ825は、ランダムアクセスメモリ(RAM)および読取り専用メモリ(ROM)を含み得る。メモリ825は、実行されると、プロセッサに、本明細書で説明する様々な機能を実行させる命令を含むコンピュータ可読コンピュータ実行可能ソフトウェア830を記憶することができる。場合によっては、メモリ825は、特に、周辺構成要素または周辺デバイスとの相互作用など、基本的ハードウェアおよび/またはソフトウェア動作を制御し得る基本入出力システム(BIOS)を含み得る。
【０１０３】
ソフトウェア830は、協調リソース区分をサポートするためのコードを含めて、本開示の態様を実装するためのコードを含み得る。ソフトウェア830は、システムメモリまたは他のメモリなどの非一時的コンピュータ可読媒体内に記憶され得る。場合によっては、ソフトウェア830は、プロセッサによって直接実行可能でないことがあるが、(たとえば、コンパイルおよび実行されると)本明細書で説明する機能をコンピュータに実行させてよい。
【０１０４】
トランシーバ835は、上記で説明したように、1つまたは複数のアンテナ、有線リンク、またはワイヤレスリンクを介して双方向に通信し得る。たとえば、トランシーバ835はワイヤレストランシーバを表すことがあり、別のワイヤレストランシーバと双方向に通信し得る。トランシーバ835はまた、パケットを変調し、変調されたパケットを送信のためにアンテナに与え、かつアンテナから受信されたパケットを復調するためのモデムを含み得る。
【０１０５】
場合によっては、ワイヤレスデバイスは単一のアンテナ840を含み得る。しかしながら、場合によっては、デバイスは、複数のワイヤレス送信を同時に送信または受信することが可能であり得る2つ以上のアンテナ840を有し得る。
【０１０６】
I/Oコントローラ845は、デバイス805のための入力信号および出力信号を管理することができる。I/Oコントローラ845はまた、デバイス805に統合されていない周辺装置を管理することができる。場合によっては、I/Oコントローラ845は、外部周辺装置への物理接続またはポートを表すことがある。場合によっては、I/Oコントローラ845は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。
【０１０７】
図9は、本開示の態様による、協調リソース区分をサポートするデバイス905を含むシステム900の図を示す。デバイス905は、たとえば、図1、図6、および図7を参照しながら上記で説明したような、ワイヤレスデバイス605、ワイヤレスデバイス705、または基地局105の構成要素の一例であり得るか、またはそれらを含み得る。デバイス905は、基地局通信マネージャ915と、プロセッサ920と、メモリ925と、ソフトウェア930と、トランシーバ935と、アンテナ940と、ネットワーク通信マネージャ945と、基地局マネージャ950とを含めて、通信を送信および受信するための構成要素を含む、双方向音声およびデータ通信のための構成要素を含んでもよい。これらの構成要素は、1つまたは複数のバス(たとえば、バス910)を介して電子通信し得る。デバイス905は、1つまたは複数のUE115とワイヤレス通信することができる。
【０１０８】
プロセッサ920は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ920は、メモリコントローラを使用してメモリアレイを動作させるように構成され得る。他の場合には、メモリコントローラは、プロセッサ920に統合され得る。プロセッサ920は、様々な機能(たとえば、協調リソース区分をサポートする機能またはタスク)を実行するために、メモリに記憶されたコンピュータ可読命令を実行するように構成され得る。
【０１０９】
メモリ925は、RAMおよびROMを含み得る。メモリ925は、実行されると、プロセッサに、本明細書で説明する様々な機能を実行させる命令を含む、コンピュータ可読、コンピュータ実行可能ソフトウェア930を記憶し得る。場合によっては、メモリ925は、特に、周辺構成要素または周辺デバイスとの相互作用など、基本的ハードウェアおよび/またはソフトウェア動作を制御し得るBIOSを含み得る。
【０１１０】
ソフトウェア930は、協調リソース区分をサポートするためのコードを含めて、本開示の態様を実装するためのコードを含み得る。ソフトウェア930は、システムメモリまたは他のメモリなどの非一時的コンピュータ可読媒体内に記憶され得る。場合によっては、ソフトウェア930は、プロセッサによって直接実行可能ではないことがあるが、(たとえば、コンパイルされ、実行されると)本明細書で説明する機能をコンピュータに実行させ得る。
【０１１１】
トランシーバ935は、上記で説明したように、1つまたは複数のアンテナ、有線リンク、またはワイヤレスリンクを介して双方向に通信し得る。たとえば、トランシーバ935はワイヤレストランシーバを表すことがあり、別のワイヤレストランシーバと双方向に通信し得る。トランシーバ935はまた、パケットを変調し、変調されたパケットを送信のためにアンテナに与え、かつアンテナから受信されたパケットを復調するためのモデムを含み得る。
【０１１２】
場合によっては、ワイヤレスデバイスは単一のアンテナ940を含み得る。しかしながら、場合によっては、デバイスは、複数のワイヤレス送信を同時に送信または受信することが可能であり得る2つ以上のアンテナ940を有し得る。
【０１１３】
ネットワーク通信マネージャ945は、(たとえば、1つまたは複数のワイヤードバックホールリンクを介して)コアネットワークとの通信を管理することができる。たとえば、ネットワーク通信マネージャ945は、1つまたは複数のUE115など、クライアントデバイスに対するデータ通信の転送を管理することができる。
【０１１４】
基地局マネージャ950は、他の基地局105との通信を管理してもよく、他の基地局105と協調してUE115との通信を制御するためのコントローラまたはスケジューラを含んでもよい。たとえば、基地局マネージャ950は、ビームフォーミングまたはジョイント送信などの様々な干渉緩和技法のために、UE115への送信用のスケジューリングを協調させることができる。いくつかの例では、基地局マネージャ950は、基地局105間で通信を行うために、LTE/LTE-Aワイヤレス通信ネットワーク技術内のX2インターフェースを提供し得る。基地局マネージャ950は、NRまたは他の次世代ワイヤレス通信ネットワーク技術に適合する他のインターフェースを提供し得る。
【０１１５】
図10は、本開示の態様による、協調リソース区分のための方法1000を示すフローチャートを示す。方法1000の動作は、本明細書で説明したようなUE115もしくは基地局105またはその構成要素によって実装され得る。たとえば、方法1000の動作は、図5〜図7を参照しながら説明したように、通信マネージャによって実行され得る。いくつかの例では、UE115または基地局105は、以下で説明する機能を実行するようにデバイスの機能要素を制御するためのコードのセットを実行することができる。追加または代替として、UE115または基地局105は、専用ハードウェアを使用して以下で説明する機能の態様を実行することができる。
【０１１６】
ブロック1005において、UE115または基地局105は、複数のネットワークオペレーティングエンティティによって共有される共有無線周波数スペクトル帯域内のフレームを識別することができる。ブロック1005の動作は、図1〜図4を参照しながら説明した方法に従って実行されてもよい。いくつかの例では、ブロック1005の動作の態様は、図5〜図7を参照しながら説明したように、共有スペクトル構成要素によって実行されてもよい。
【０１１７】
ブロック1010において、UE115または基地局105は、ネットワークオペレーティングエンティティによる専用使用のためにフレーム内の第1の複数のサブ間隔を識別することができる。ブロック1010の動作は、図1〜図4を参照しながら説明した方法に従って実行されてもよい。いくつかの例では、ブロック1010の動作の態様は、図5〜図7を参照しながら説明したように、専用リソース構成要素によって実行されてもよい。
【０１１８】
ブロック1015において、UE115または基地局105は、ネットワークオペレーティングエンティティによる優先使用のためにフレーム内の第2の複数のサブ間隔を識別することができる。ブロック1015の動作は、図1〜図4を参照しながら説明した方法に従って実行されてもよい。いくつかの例では、ブロック1015の動作の態様は、図5〜図7を参照しながら説明したように、優先リソース構成要素によって実行されてもよい。
【０１１９】
ブロック1020において、UE115または基地局105は、ネットワークオペレーティングエンティティによる日和見的使用のためにフレーム内の第3の複数のサブ間隔を識別することができる。ブロック1020の動作は、図1〜図4を参照しながら説明した方法に従って実行されてもよい。いくつかの例では、ブロック1020の動作の態様は、図5〜図7を参照しながら説明したように、非割当てリソース構成要素によって実行されてもよい。
【０１２０】
ブロック1025において、UE115または基地局105は、識別されたサブ間隔のうちの1つを使用して、ネットワークオペレーティングエンティティに関連付けられるワイヤレスノードと通信することができる。ブロック1025の動作は、図1〜図4を参照しながら説明した方法に従って実行されてもよい。いくつかの例では、ブロック1025の動作の態様は、図5〜図7を参照しながら説明したように、通信構成要素によって実行されてもよい。
【０１２１】
図11は、本開示の態様による、協調リソース区分のための方法1100を示すフローチャートを示す。方法1100の動作は、本明細書で説明したようなUE115もしくは基地局105またはその構成要素によって実装され得る。たとえば、方法1100の動作は、図5〜図7を参照しながら説明したような通信マネージャによって実行され得る。いくつかの例では、UE115または基地局105は、以下で説明する機能を実行するようにデバイスの機能要素を制御するためのコードのセットを実行することができる。追加または代替として、UE115または基地局105は、専用ハードウェアを使用して以下で説明する機能の態様を実行することができる。
【０１２２】
ブロック1105において、UE115または基地局105は、複数のネットワークオペレーティングエンティティによって共有される共有無線周波数スペクトル帯域内のフレームを識別することができる。ブロック1105の動作は、図1〜図4を参照しながら説明した方法に従って実行されてもよい。いくつかの例では、ブロック1105の動作の態様は、図5〜図7を参照しながら説明したように、共有スペクトル構成要素によって実行されてもよい。
【０１２３】
ブロック1110において、UE115または基地局105は、ネットワークオペレーティングエンティティによる専用使用のためにフレーム内の第1の複数のサブ間隔を識別することができる。ブロック1110の動作は、図1〜図4を参照しながら説明した方法に従って実行されてもよい。いくつかの例では、ブロック1110の動作の態様は、図5〜図7を参照しながら説明したように、専用リソース構成要素によって実行されてもよい。
【０１２４】
ブロック1115において、UE115または基地局105は、ネットワークオペレーティングエンティティによる優先使用のためにフレーム内の第2の複数のサブ間隔を識別することができる。ブロック1115の動作は、図1〜図4を参照しながら説明した方法に従って実行されてもよい。いくつかの例では、ブロック1115の動作の態様は、図5〜図7を参照しながら説明したように、優先リソース構成要素によって実行されてもよい。
【０１２５】
ブロック1120において、UE115または基地局105は、ネットワークオペレーティングエンティティによる日和見的使用のためにフレーム内の第3の複数のサブ間隔を識別することができる。ブロック1120の動作は、図1〜図4を参照しながら説明した方法に従って実行されてもよい。いくつかの例では、ブロック1120の動作の態様は、図5〜図7を参照しながら説明したように、非割当てリソース構成要素によって実行され得る。
【０１２６】
ブロック1125において、UE115または基地局105は、第3の複数のサブ間隔のうちの少なくとも1つの間に他のネットワークオペレーティングエンティティからの通信を測定することができる。ブロック1125の動作は、図1〜図4を参照しながら説明した方法に従って実行されてもよい。いくつかの例では、ブロック1130の動作の態様は、図5〜図7を参照しながら説明したように、媒体検知構成要素によって実行されてもよい。
【０１２７】
ブロック1130において、UE115または基地局105は、測定に少なくとも部分的に基づいて、第3の複数のサブ間隔のうちの少なくとも1つの間に他のネットワークオペレーティングエンティティからの通信の不在を判定することができる。ブロック1130の動作は、図1〜図4を参照しながら説明した方法に従って実行されてもよい。いくつかの例では、ブロック1130の動作の態様は、図5〜図7を参照しながら説明したように、媒体検知構成要素によって実行されてもよい。
【０１２８】
ブロック1135において、UE115または基地局105は、判定に少なくとも部分的に基づいて、第3の複数のサブ間隔のうちの少なくとも1つの間にデータを通信することができる。ブロック1135の動作は、図1〜図4を参照しながら説明した方法に従って実行されてもよい。いくつかの例では、ブロック1135の動作の態様は、図5〜図7を参照しながら説明したように、通信構成要素によって実行されてもよい。
【０１２９】
図12は、本開示の態様による、協調リソース区分のための方法1200を示すフローチャートを示す。方法1200の動作は、本明細書で説明したようなUE115もしくは基地局105またはその構成要素によって実装され得る。たとえば、方法1200の動作は、図5〜図7を参照しながら説明したような通信マネージャによって実行され得る。いくつかの例では、UE115または基地局105は、以下で説明する機能を実行するようにデバイスの機能要素を制御するためのコードのセットを実行することができる。追加または代替として、UE115または基地局105は、専用ハードウェアを使用して以下で説明する機能の態様を実行することができる。
【０１３０】
ブロック1205において、UE115または基地局105は、複数のネットワークオペレーティングエンティティによって共有される共有無線周波数スペクトル帯域内のフレームを識別することができる。ブロック1205の動作は、図1〜図4を参照しながら説明した方法に従って実行されてもよい。いくつかの例では、ブロック1205の動作の態様は、図5〜図7を参照しながら説明したように、共有スペクトル構成要素によって実行されてもよい。
【０１３１】
ブロック1210において、UE115または基地局105は、ネットワークオペレーティングエンティティによる専用使用のためにフレーム内の第1の複数のサブ間隔を識別することができる。ブロック1210の動作は、図1〜図4を参照しながら説明した方法に従って実行されてもよい。いくつかの例では、ブロック1210の動作の態様は、図5〜図7を参照しながら説明したように、専用リソース構成要素によって実行されてもよい。
【０１３２】
ブロック1215において、UE115または基地局105は、ネットワークオペレーティングエンティティによる優先使用のためにフレーム内の第2の複数のサブ間隔を識別することができる。ブロック1215の動作は、図1〜図4を参照しながら説明した方法に従って実行されてもよい。いくつかの例では、ブロック1215の動作の態様は、図5〜図7を参照しながら説明したように、優先リソース構成要素によって実行されてもよい。
【０１３３】
ブロック1220において、UE115または基地局105は、ネットワークオペレーティングエンティティによる日和見的使用のためにフレーム内の第3の複数のサブ間隔を識別することができる。ブロック1220の動作は、図1〜図4を参照しながら説明した方法に従って実行されてもよい。いくつかの例では、ブロック1220の動作の態様は、図5〜図7を参照しながら説明したように、非割当てリソース構成要素によって実行されてもよい。
【０１３４】
ブロック1225において、UE115または基地局105は、第3の複数のサブ間隔のうちの少なくとも1つの間に他のネットワークオペレーティングエンティティからの通信を測定することができる。ブロック1225の動作は、図1〜図4を参照しながら説明した方法に従って実行されてもよい。いくつかの例では、ブロック1225の動作の態様は、図5〜図7を参照しながら説明したように、媒体検知構成要素によって実行されてもよい。
【０１３５】
ブロック1230において、UE115または基地局105は、測定に少なくとも部分的に基づいて、第3の複数のサブ間隔のうちの少なくとも1つの間に他のネットワークオペレーティングエンティティからの通信の存在を判定することができる。ブロック1230の動作は、図1〜図4を参照しながら説明した方法に従って実行されてもよい。いくつかの例では、ブロック1230の動作の態様は、図5〜図7を参照しながら説明したように、媒体検知構成要素によって実行されてもよい。
【０１３６】
ブロック1235において、UE115または基地局105は、判定に少なくとも部分的に基づいて、第3の複数のサブ間隔のうちの少なくとも1つの間にデータを通信することを控えることができる。ブロック1235の動作は、図1〜図4を参照しながら説明した方法に従って実行されてもよい。いくつかの例では、ブロック1235の動作の態様は、図5〜図7を参照しながら説明したように、通信構成要素によって実行されてもよい。
【０１３７】
図13は、本開示の態様による、協調リソース区分のための方法1300を示すフローチャートを示す。方法1300の動作は、本明細書で説明したようなUE115もしくは基地局105またはその構成要素によって実装され得る。たとえば、方法1300の動作は、図5〜図7を参照しながら説明したような通信マネージャによって実行され得る。いくつかの例では、UE115または基地局105は、以下で説明する機能を実行するようにデバイスの機能要素を制御するためのコードのセットを実行することができる。追加または代替として、UE115または基地局105は、専用ハードウェアを使用して以下で説明する機能の態様を実行することができる。
【０１３８】
ブロック1305において、UE115または基地局105は、複数のネットワークオペレーティングエンティティによって共有される共有無線周波数スペクトル帯域内のフレームを識別することができる。ブロック1305の動作は、図1〜図4を参照しながら説明した方法に従って実行されてもよい。いくつかの例では、ブロック1305の動作の態様は、図5〜図7を参照しながら説明したように、共有スペクトル構成要素によって実行されてもよい。
【０１３９】
ブロック1310において、UE115または基地局105は、ネットワークオペレーティングエンティティによる専用使用のためにフレーム内の第1の複数のサブ間隔を識別することができる。ブロック1310の動作は、図1〜図4を参照しながら説明した方法に従って実行されてもよい。いくつかの例では、ブロック1310の動作の態様は、図5〜図7を参照しながら説明したように、専用リソース構成要素によって実行されてもよい。
【０１４０】
ブロック1315において、UE115または基地局105は、ネットワークオペレーティングエンティティによる優先使用のためにフレーム内の第2の複数のサブ間隔を識別することができる。ブロック1315の動作は、図1〜図4を参照しながら説明した方法に従って実行されてもよい。いくつかの例では、ブロック1315の動作の態様は、図5〜図7を参照しながら説明したように、優先リソース構成要素によって実行されてもよい。
【０１４１】
ブロック1320において、UE115または基地局105は、ネットワークオペレーティングエンティティによる日和見的使用のためにフレーム内の第3の複数のサブ間隔を識別することができる。ブロック1320の動作は、図1〜図4を参照しながら説明した方法に従って実行されてもよい。いくつかの例では、ブロック1320の動作の態様は、図5〜図7を参照しながら説明したように、非割当てリソース構成要素によって実行され得る。
【０１４２】
ブロック1325において、UE115または基地局105は、第3の複数のサブ間隔のうちの少なくとも1つの間により高い優先度のネットワークオペレーティングエンティティからのシグナリングを識別することができ、シグナリングは、第3の複数のサブ間隔のうちの少なくとも1つの間により高い優先度のネットワークオペレーティングエンティティが通信しないことになることを示し、より高い優先度のネットワークオペレーティングエンティティは、第3の複数のサブ間隔のうちの少なくとも1つの間にネットワークオペレーティングエンティティよりも高い通信優先度を有する。ブロック1325の動作は、図1〜図4を参照しながら説明した方法に従って実行されてもよい。いくつかの例では、ブロック1325の動作の態様は、図5〜図7を参照しながら説明したように、媒体検知構成要素によって実行されてもよい。
【０１４３】
ブロック1330において、UE115または基地局105は、シグナリングに少なくとも部分的に基づいて、第3の複数のサブ間隔のうちの少なくとも1つの間にデータを通信することができる。ブロック1330の動作は、図1〜図4を参照しながら説明した方法に従って実行されてもよい。いくつかの例では、ブロック1330の動作の態様は、図5〜図7を参照しながら説明したように、通信構成要素によって実行されてもよい。
【０１４４】
図14は、本開示の態様による、協調リソース区分のための方法1400を示すフローチャートを示す。方法1400の動作は、本明細書で説明したようなUE115もしくは基地局105またはその構成要素によって実装され得る。たとえば、方法1400の動作は、図5〜図7を参照しながら説明したような通信マネージャによって実行され得る。いくつかの例では、UE115または基地局105は、以下で説明する機能を実行するようにデバイスの機能要素を制御するためのコードのセットを実行することができる。追加または代替として、UE115または基地局105は、専用ハードウェアを使用して以下で説明する機能の態様を実行することができる。
【０１４５】
ブロック1405において、UE115または基地局105は、複数のネットワークオペレーティングエンティティによって共有される共有無線周波数スペクトル帯域内のフレームを識別することができる。ブロック1405の動作は、図1〜図4を参照しながら説明した方法に従って実行されてもよい。いくつかの例では、ブロック1405の動作の態様は、図5〜図7を参照しながら説明したように、共有スペクトル構成要素によって実行されてもよい。
【０１４６】
ブロック1410において、UE115または基地局105は、ネットワークオペレーティングエンティティによる専用使用のためにフレーム内の第1の複数のサブ間隔を識別することができる。ブロック1410の動作は、図1〜図4を参照しながら説明した方法に従って実行されてもよい。いくつかの例では、ブロック1410の動作の態様は、図5〜図7を参照しながら説明したように、専用リソース構成要素によって実行されてもよい。
【０１４７】
ブロック1415において、UE115または基地局105は、ネットワークオペレーティングエンティティによる優先使用のためにフレーム内の第2の複数のサブ間隔を識別することができる。ブロック1415の動作は、図1〜図4を参照しながら説明した方法に従って実行されてもよい。いくつかの例では、ブロック1415の動作の態様は、図5〜図7を参照しながら説明したように、優先リソース構成要素によって実行されてもよい。
【０１４８】
ブロック1420において、UE115または基地局105は、ネットワークオペレーティングエンティティによる日和見的使用のためにフレーム内の第3の複数のサブ間隔を識別することができる。ブロック1420の動作は、図1〜図4を参照しながら説明した方法に従って実行されてもよい。いくつかの例では、ブロック1420の動作の態様は、図5〜図7を参照しながら説明したように、非割当てリソース構成要素によって実行されてもよい。
【０１４９】
ブロック1425において、UE115または基地局105は、第3の複数のサブ間隔のうちの少なくとも1つの間により高い優先度のネットワークオペレーティングエンティティからのシグナリングを識別することができ、シグナリングは、第3の複数のサブ間隔のうちの少なくとも1つの間により高い優先度のネットワークオペレーティングエンティティが通信することになることを示し、より高い優先度のネットワークオペレーティングエンティティは、第3の複数のサブ間隔のうちの少なくとも1つの間にネットワークオペレーティングエンティティよりも高い通信優先度を有する。ブロック1425の動作は、図1〜図4を参照しながら説明した方法に従って実行されてもよい。いくつかの例では、ブロック1425の動作の態様は、図5〜図7を参照しながら説明したように、媒体検知構成要素によって実行されてもよい。
【０１５０】
ブロック1430において、UE115または基地局105は、シグナリングに少なくとも部分的に基づいて、第3の複数のサブ間隔のうちの少なくとも1つの間にデータを通信することを控えることができる。ブロック1430の動作は、図1〜図4を参照しながら説明した方法に従って実行されてもよい。いくつかの例では、ブロック1430の動作の態様は、図5〜図7を参照しながら説明したように、通信構成要素によって実行されてもよい。
【０１５１】
図15は、本開示の態様による、協調リソース区分のための方法1500を示すフローチャートを示す。方法1500の動作は、本明細書で説明したようなUE115もしくは基地局105またはその構成要素によって実装され得る。たとえば、方法1500の動作は、図5〜図7を参照しながら説明したような通信マネージャによって実行され得る。いくつかの例では、UE115または基地局105は、以下で説明する機能を実行するようにデバイスの機能要素を制御するためのコードのセットを実行することができる。追加または代替として、UE115または基地局105は、専用ハードウェアを使用して以下で説明する機能の態様を実行することができる。
【０１５２】
ブロック1505において、UE115または基地局105は、複数のネットワークオペレーティングエンティティによって共有される共有無線周波数スペクトル帯域内のフレームを識別することができる。ブロック1505の動作は、図1〜図4を参照しながら説明した方法に従って実行されてもよい。いくつかの例では、ブロック1505の動作の態様は、図5〜図7を参照しながら説明したように、共有スペクトル構成要素によって実行されてもよい。
【０１５３】
ブロック1510において、UE115または基地局105は、ネットワークオペレーティングエンティティによる専用使用のためにフレーム内の第1の複数のサブ間隔を識別することができる。ブロック1510の動作は、図1〜図4を参照しながら説明した方法に従って実行されてもよい。いくつかの例では、ブロック1510の動作の態様は、図5〜図7を参照しながら説明したように、専用リソース構成要素によって実行されてもよい。
【０１５４】
ブロック1515において、UE115または基地局105は、ネットワークオペレーティングエンティティによる優先使用のためにフレーム内の第2の複数のサブ間隔を識別することができる。ブロック1515の動作は、図1〜図4を参照しながら説明した方法に従って実行されてもよい。いくつかの例では、ブロック1515の動作の態様は、図5〜図7を参照しながら説明したように、優先リソース構成要素によって実行されてもよい。
【０１５５】
ブロック1520において、UE115または基地局105は、ネットワークオペレーティングエンティティによる日和見的使用のためにフレーム内の第3の複数のサブ間隔を識別することができる。ブロック1520の動作は、図1〜図4を参照しながら説明した方法に従って実行されてもよい。いくつかの例では、ブロック1520の動作の態様は、図5〜図7を参照しながら説明したように、非割当てリソース構成要素によって実行されてもよい。
【０１５６】
ブロック1525において、UE115または基地局105は、別のネットワークオペレーティングエンティティに関連付けられる追加のワイヤレスノードから同期情報を受信することができる。ブロック1525の動作は、図1〜図4を参照しながら説明した方法に従って実行されてもよい。いくつかの例では、ブロック1525の動作の態様は、図5〜図7を参照しながら説明したように、同期構成要素によって実行されてもよい。
【０１５７】
ブロック1530において、UE115または基地局105は、同期情報に少なくとも部分的に基づいてワイヤレスノードとの通信することができる。ブロック1530の動作は、図1〜図4を参照しながら説明した方法に従って実行されてもよい。いくつかの例では、ブロック1530の動作の態様は、図5〜図7を参照しながら説明したように、通信構成要素によって実行されてもよい。
【０１５８】
いくつかの例では、図10〜図15を参照しながら説明した方法1000、1100、1200、1300、1400、および1500のうちの2つ以上からの態様が組み合わされ得る。方法1000、1100、1200、1300、1400、および1500は例示的な実装形態にすぎず、方法1000、1100、1200、1300、1400、および1500の動作は、他の実装形態が可能であるように並べ替えられ、またはさもなければ変更され得ることに留意されたい。
【０１５９】
本明細書で説明した技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。CDMAシステムは、CDMA2000、ユニバーサル地上波無線アクセス(UTRA)などの無線技術を実装してよい。CDMA2000は、IS-2000規格、IS-95規格、およびIS-856規格を対象、とする。IS-2000リリースは、通常、CDMA2000 1X、1Xなどと呼ばれることがある。IS-856(TIA-856)は、通常、CDMA2000 1xEV-DO、High Rate Packet Data(HRPD)などと呼ばれる。UTRAは、広帯域CDMA(WCDMA(登録商標))およびCDMAの他の変形を含む。時分割多元接続(TDMA)システムは、モバイル通信用グローバルシステム(GSM(登録商標))などの無線技術を実装し得る。
【０１６０】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSのリリースである。UTRA、E-UTRA、UMTS、LTE、LTE-A、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明した技法は、上述されたシステムおよび無線技術ならびに他のシステムおよび無線技術に使用される場合がある。LTEシステムの態様が例として説明されることがあり、説明の大部分においてLTE用語が使用されることがあるが、本明細書で説明した技法はLTE適用例以外に適用可能である。
【０１６１】
本明細書で説明したそのようなネットワークを含むLTE/LTE-Aネットワークでは、発展型ノードB(eNB)という用語は一般に、基地局を表すために使用され得る。本明細書で説明した1つまたは複数のワイヤレス通信システムは、異なるタイプのeNBが様々な地理的領域にカバレッジを提供する異種LTE/LTE-Aネットワークを含み得る。たとえば、各eNBまたは基地局は、マクロセル、スモールセル、または他のタイプのセル用の、通信カバレッジを提供し得る。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用され得る。
【０１６２】
基地局は、基地トランシーバ局、無線基地局、アクセスポイント、無線トランシーバ、NodeB、eNodeB(eNB)、ホームNodeB、ホームeNodeB、または何らかの他の好適な用語を含み得るか、またはそのように当業者によって呼ばれることがある。基地局のための地理的カバレッジエリアは、カバレッジエリアの一部分のみを構成するセクタに分割され得る。本明細書で説明した1つまたは複数のワイヤレス通信システムは、異なるタイプの基地局(たとえば、マクロセル基地局またはスモールセル基地局)を含み得る。本明細書で説明したUEは、マクロeNB、スモールセルeNB、中継基地局などを含む、様々なタイプの基地局およびネットワーク機器と通信することが可能であり得る。異なる技術のための重複する地理的カバレッジエリアがあってよい。
【０１６３】
マクロセルは、一般に、比較的大きい地理的エリア(たとえば、半径数キロメートル)をカバーし、ネットワークプロバイダのサービスに加入しているUEによる無制限アクセスを可能にしてもよい。スモールセルは、マクロセルと比較して、同じまたは異なる(たとえば、認可、無認可などの)周波数帯域内でマクロセルとして動作する場合がある低電力基地局である。スモールセルは、様々な例によれば、ピコセル、フェムトセル、およびマイクロセルを含む場合がある。ピコセルは、たとえば、小さい地理的エリアをカバーしてもよく、ネットワークプロバイダのサービスに加入しているUEによる無制限アクセスを可能にしてもよい。フェムトセルも、小さい地理的エリア(たとえば、自宅)をカバーすることができ、フェムトセルとの関連性を有するUE(たとえば、限定加入者グループ(CSG)の中のUE、自宅内のユーザのためのUE、など)による制限付きアクセスを提供することができる。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートしてもよい。UEは、マクロeNB、スモールセルeNB、中継基地局などを含む、様々なタイプの基地局およびネットワーク機器と通信することが可能であってもよい。
【０１６４】
本明細書で説明した1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有する場合があり、異なる基地局からの送信は、時間的に整合されない場合がある。本明細書で説明した技法は、同期動作または非同期動作のいずれに使用されてもよい。
【０１６５】
本明細書で説明したダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明した各通信リンクは、1つまたは複数のキャリアを含むことがあり、ここで、各キャリアは、複数のサブキャリア(たとえば、異なる周波数の波形信号)で構成される信号であり得る。
【０１６６】
添付の図面に関して本明細書に記載された説明は、例示的な構成を説明し、実装され得るまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践されてよい。いくつかの事例では、説明した例の概念を不明瞭にすることを回避するために、よく知られている構造およびデバイスがブロック図の形態で示される。
【０１６７】
添付の図では、同様の構成要素または特徴は、同じ参照ラベルを有する場合がある。さらに、同じタイプの様々な構成要素は、参照ラベルの後に、ダッシュと、同様の構成要素を区別する第2のラベルとを続けることによって区別される場合がある。第1の参照ラベルのみが本明細書において使用される場合、説明は、第2の参照ラベルにかかわらず、同じ第1の参照ラベルを有する類似の構成要素のうちのいずれにも適用可能である。
【０１６８】
本明細書で説明した情報および信号は、多種多様な技術および技法のいずれかを使用して表されてもよい。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０１６９】
本明細書の開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１７０】
本明細書で説明した機能は、ハードウェア、プロセッサによって実行されるソフトウェア、ファームウェア、またはそれらの任意の組合せで実装されてよい。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態は、本開示および添付の特許請求の範囲の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装されることが可能である。機能を実施する特徴はまた、異なる物理的位置において機能の部分が実装されるように分散されることを含めて、様々な位置に物理的に配置されてもよい。また、特許請求の範囲内を含む本明細書で使用する場合、項目のリスト(たとえば、「〜のうちの少なくとも1つ」または「〜のうちの1つまたは複数」などのフレーズによって前置きされた項目のリスト)において使用されるような「または」は、たとえば、A、B、またはCのうちの少なくとも1つのリストがAまたはBまたはCまたはABまたはACまたはBCまたはABC(すなわち、AおよびBおよびC)を意味するように、包括的リストを示す。また、本明細書で使用される「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づいてよい。言い換えれば、本明細書で使用される「に基づいて」という句は、「に少なくとも部分的に基づいて」という句と同様に解釈されるものとする。
【０１７１】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され得、汎用コンピュータもしくは専用コンピュータまたは汎用プロセッサもしくは専用プロセッサによってアクセスされ得る任意の他の非一時的媒体を備え得る。また、任意の接続が、適正にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ここで、ディスク(disk)は、通常、データを磁気的に再生し、ディスク(disc)は、データをレーザーで光学的に再生する。上記のものの組合せも、コンピュータ可読媒体の範囲内に含まれる。
【０１７２】
本明細書での説明は、当業者が本開示を作成または使用することを可能にするために与えられる。本開示の様々な修正は、当業者に容易に明らかになり、本明細書で定義される一般原理は、本開示の範囲を逸脱することなく他の変形形態に適用され得る。したがって、本開示は、本明細書で説明した例および設計に限定されず、本明細書で開示した原理および新規の特徴と一致する最も広い範囲を与えられるべきである。
【符号の説明】
【０１７３】
100  ワイヤレス通信システム
105  基地局
105-a-1  基地局
105-a-2  基地局
105-b-1  基地局
105-b-2  基地局
105-c  基地局
110  地理的カバレッジエリア
115  ユーザ機器(UE)
115-a-1  UE
115-a-2  UE
115-b-1  UE
115-b-2  UE
115-c  UE
125  通信リンク
130  コアネットワーク
132  バックホールリンク
134  バックホールリンク
200  ワイヤレス通信システム
210  通信リンク
215  通信リンク
220  カバレッジエリア
225  カバレッジエリア
300  タイミング図
305  スーパーフレーム
310  獲得間隔(A-INT)
315  調停間隔
320  サブ間隔
325  サブフレーム
330-a  リソース、専用リソース
330-b  リソース
330-c  リソース
335-a  リソース
335-b  リソース
335-c  リソース
335-d  リソース
335-e  リソース
335-f  リソース
340-a  リソース
340-b  リソース
400  フロー図
500  ブロック図
505  ワイヤレスデバイス
510  受信機
515  通信マネージャ
520  送信機
600  ブロック図
605  ワイヤレスデバイス
610  受信機
615  通信マネージャ
620  送信機
625  共有スペクトル構成要素
630  専用リソース構成要素
635  優先リソース構成要素
640  非割当てリソース構成要素
645  通信構成要素
700  ブロック図
715  通信マネージャ
720  共有スペクトル構成要素
725  専用リソース構成要素
730  優先リソース構成要素
735  非割当てリソース構成要素
740  通信構成要素
745  スペクトルアクセスコーディネータ
750  ネットワーク聴取構成要素
755  媒体検知構成要素
760  同期構成要素
765  CoMP構成要素
800  システム
805  デバイス
810  バス
815  UE通信マネージャ
820  プロセッサ
825  メモリ
830  ソフトウェア
835  トランシーバ
840  アンテナ
845  I/Oコントローラ
900  システム
905  デバイス
910  バス
915  基地局通信マネージャ
920  プロセッサ
925  メモリ
930  ソフトウェア
935  トランシーバ
940  アンテナ
945  ネットワーク通信マネージャ
950  基地局マネージャ
1000  方法
1100  方法
1200  方法
1300  方法
1400  方法
1500  方法
【図１】
2019531030.tif 000003
【図２】
2019531030.tif 000004
【図３】
2019531030.tif 000005
【図４】
2019531030.tif 000006
【図５】
2019531030.tif 000007
【図６】
2019531030.tif 000008
【図７】
2019531030.tif 000009
【図８】
2019531030.tif 000010
【図９】
2019531030.tif 000011
【図１０】
2019531030.tif 000012
【図１１】
2019531030.tif 000013
【図１２】
2019531030.tif 000014
【図１３】
2019531030.tif 000015
【図１４】
2019531030.tif 000016
【図１５】
2019531030.tif 000017
【国際調査報告】
2019531030.tif 000018
2019531030.tif 000019